(57)【要約】  基地局（１１０）は、送信点（１１１〜１２７）の中から選択した各送信点を協調させてデータ信号を送信する。また、基地局（１１０）は、送信点（１１１〜１２７）からそれぞれ参照信号を送信する。端末（１０１）は、基地局（１１０）によって送信点（１１１〜１２７）からそれぞれ送信された参照信号の受信電力を測定し、各ビット位置がそれぞれ送信点（１１１〜１２７）と対応付けられたビット列であって、送信点（１１１〜１２７）のそれぞれについて受信電力が所定条件を満たすか否かを示すビット列を基地局（１１０）へ送信する。
2016189595.tif 000002
【特許請求の範囲】
【請求項１】
複数の送信点の中から選択した各送信点を協調させてデータ信号を送信する第１無線装置であって、前記複数の送信点からそれぞれ参照信号を送信する第１無線装置と、
前記第１無線装置によって前記複数の送信点からそれぞれ送信された参照信号の受信電力を測定し、各ビット位置がそれぞれ前記複数の送信点と対応付けられたビット列であって、前記複数の送信点のそれぞれについて前記受信電力が所定条件を満たすか否かを示すビット列を前記第１無線装置へ送信する第２無線装置と、
を含むことを特徴とする無線通信システム。
【請求項２】
前記第２無線装置は、前記ビット列と、前記受信電力が前記所定条件を満たす各送信点のうちの前記受信電力が最も大きい送信点の識別情報と、を前記第１無線装置へ送信することを特徴とする請求項１に記載の無線通信システム。
【請求項３】
前記第２無線装置は、前記ビット列と、前記受信電力が最も大きい送信点の識別情報と、前記受信電力が最も大きい送信点についての前記受信電力と、を前記第１無線装置へ送信することを特徴とする請求項２に記載の無線通信システム。
【請求項４】
前記第２無線装置は、前記ビット列と、前記受信電力が前記所定条件を満たす各送信点のうちの前記受信電力が最も大きい送信点に対応する前記ビット列におけるビット位置を示す情報と、を前記第１無線装置へ送信することを特徴とする請求項１に記載の無線通信システム。
【請求項５】
前記第２無線装置は、測定した前記受信電力のうちの最も大きい受信電力を特定し、前記複数の送信点のそれぞれについて前記受信電力と前記最も大きい受信電力との差が所定値以下であるか否かを示す前記ビット列を前記第１無線装置へ送信する、
ことを特徴とする請求項１〜４のいずれか一つに記載の無線通信システム。
【請求項６】
前記第１無線装置は、前記第２無線装置によって送信された前記ビット列に基づいて前記複数の送信点の中から選択した前記各送信点を協調させて前記データ信号を前記第２無線装置へ送信することを特徴とする請求項１〜５のいずれか一つに記載の無線通信システム。
【請求項７】
前記第１無線装置は、前記複数の送信点の間で異なる各無線リソースによって前記複数の送信点からそれぞれ参照信号を送信することを特徴とする請求項１〜６のいずれか一つに記載の無線通信システム。
【請求項８】
前記第１無線装置は、前記複数の送信点の間で共通の参照信号を前記複数の送信点から送信することを特徴とする請求項１〜７のいずれか一つに記載の無線通信システム。
【請求項９】
前記第１無線装置は、各ビット位置がそれぞれ前記複数の送信点を含む送信点群の各送信点に対応付けられたビット列であって、前記送信点群の各送信点について前記複数の送信点に含まれるか否かを示すビット列を前記第２無線装置へ送信し、
前記第２無線装置は、前記第１無線装置によって送信された前記ビット列に基づいて、前記第１無線装置によって前記複数の送信点からそれぞれ送信された参照信号の受信電力を測定する、
ことを特徴とする請求項１〜８のいずれか一つに記載の無線通信システム。
【請求項１０】
複数の送信点に含まれる各送信点を協調させてデータ信号を送信する無線装置であって、
前記複数の送信点からそれぞれ参照信号を送信する送信部と、
前記送信部によって前記複数の送信点からそれぞれ送信された参照信号の受信電力を測定する他の無線装置から、各ビット位置がそれぞれ前記複数の送信点と対応付けられたビット列であって、前記複数の送信点のそれぞれについて前記受信電力が所定条件を満たすか否かを示すビット列を受信する受信部と、
を備えることを特徴とする無線装置。
【請求項１１】
複数の送信点に含まれる各送信点を協調させてデータ信号を送信する他の無線装置によって前記複数の送信点からそれぞれ送信された参照信号の受信電力を測定する測定部と、
前記測定部による測定結果に基づいて、各ビット位置がそれぞれ前記複数の送信点と対応付けられたビット列であって、前記複数の送信点のそれぞれについて前記受信電力が所定条件を満たすか否かを示すビット列を前記他の無線装置へ送信する送信部と、
を備えることを特徴とする無線装置。
【請求項１２】
複数の送信点に含まれる各送信点を協調させてデータ信号を送信する無線装置における処理方法であって、
前記複数の送信点からそれぞれ参照信号を送信し、
前記複数の送信点からそれぞれ送信した参照信号の受信電力を測定する他の無線装置から、各ビット位置がそれぞれ前記複数の送信点と対応付けられたビット列であって、前記複数の送信点のそれぞれについて前記受信電力が所定条件を満たすか否かを示すビット列を受信する、
ことを特徴とする処理方法。
【請求項１３】
複数の送信点に含まれる各送信点を協調させてデータ信号を送信する他の無線装置によって前記複数の送信点からそれぞれ送信された参照信号の受信電力を測定し、
前記受信電力の測定結果に基づいて、各ビット位置がそれぞれ前記複数の送信点と対応付けられたビット列であって、前記複数の送信点のそれぞれについて前記受信電力が所定条件を満たすか否かを示すビット列を前記他の無線装置へ送信する、
ことを特徴とする処理方法。
【発明の詳細な説明】
【技術分野】
【０００１】
本発明は、無線通信システム、無線装置および処理方法に関する。
【背景技術】
【０００２】
従来、無線基地局（これ以降、基地局と略記）から一つの無線端末（これ以降、端末と略記）への無線データ送信に複数の送信点を、一つの端末から基地局へ送信される無線データ信号の受信に複数の受信点を用いるＣｏＭＰ送受信（Ｃｏｏｒｄｉｎａｔｅｄ  Ｍｕｌｔｉｐｌｅ−Ｐｏｉｎｔ  ｔｒａｎｓｍｉｓｓｉｏｎ  ａｎｄ  ｒｅｃｅｐｔｉｏｎ：多地点協調通信）方式（これ以降、ＣｏＭＰと略記）が知られている。ＣｏＭＰを用いる無線通信システムにおいては、送信点の配置密度を大きくすることにより無線容量を増加することが可能であると考えられている。【０００３】
また、符号分割多元接続スペクトル拡散セルラ通信システムにおいて、各基地局が他基地局について異なる擬似ランダム雑音オフセットとなる共通のパイロット信号を送信する技術が知られている（たとえば、下記特許文献１参照。）。【０００４】
また、複数のＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ：チャネル状態情報参照信号）を異なるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）シンボルを用いて時間多重して送信する技術が知られている（たとえば、下記特許文献２参照。）。
【先行技術文献】
【特許文献】
【０００５】
【特許文献１】特表２００１−５１２６３８号公報
【特許文献２】特開２０１１−１４２４０６号公報
【発明の概要】
【発明が解決しようとする課題】
【０００６】
しかしながら、上述した従来技術であるＣｏＭＰを採用する無線セルラ通信システムにおいて、送信点が高密度に配置され、一つの端末の周辺に多くの送信点が存在する状況では、本端末に対する無線データ信号の送信に使用される可能性がある送信点候補の数が多くなり、本端末に対する無線データ信号送信のために使用される本端末が希望する送信点候補に関する情報を本端末が基地局に対し通知するために要する無線リソースの量が大きくなる場合がある。【０００７】
１つの側面では、本発明は、送信点候補の情報の通知に要する無線リソースの量の増大を抑制することができる無線通信システム、無線装置および処理方法を提供することを目的とする。
【課題を解決するための手段】
【０００８】
上述した課題を解決し、目的を達成するため、本発明の一側面によれば、複数の送信点に含まれる各送信点を協調させてデータ信号を送信する第１無線装置が、前記複数の送信点からそれぞれ参照信号を送信し、第２無線装置が、前記第１無線装置によって前記複数の送信点からそれぞれ送信された参照信号の受信電力を測定し、各ビット位置がそれぞれ前記複数の送信点と対応付けられたビット列であって、前記複数の送信点のそれぞれについて前記受信電力が所定条件を満たすか否かを示すビット列を前記第１無線装置へ送信する無線通信システム、無線装置および処理方法が提案される。
【発明の効果】
【０００９】
本発明の一側面によれば、送信点候補の情報の通知に要する無線リソースの量の増大を抑制することができるという効果を奏する。
【図面の簡単な説明】
【００１０】
【図１】図１は、実施の形態にかかる無線通信システムの一例を示す図である。
【図２】図２は、実施の形態にかかる送信点の選択の一例を示す図である。
【図３】図３は、実施の形態にかかる基地局の一例を示す図である。
【図４】図４は、実施の形態にかかる基地局のハードウェア構成の一例を示す図である。
【図５】図５は、実施の形態にかかる端末の一例を示す図である。
【図６】図６は、実施の形態にかかる端末のハードウェア構成の一例を示す図である。
【図７】図７は、実施の形態にかかる各送信点からの参照信号の送信の一例を示す図である。
【図８】図８は、実施の形態にかかる通信システムにおける処理の一例を示すシーケンス図である。
【図９】図９は、実施の形態にかかる端末によるビット列の生成処理の一例を示すフローチャートである。
【図１０】図１０は、実施の形態にかかる基地局による処理の一例を示すフローチャートである。
【図１１】図１１は、実施の形態にかかる各送信点からの参照信号の送信の他の例を示す図である。
【図１２】図１２は、実施の形態にかかる各送信点からの参照信号の送信のさらに他の例を示す図である。
【図１３】図１３は、報告対象の送信点をビット列により通知することによる情報量の低減の一例を示す図である。
【発明を実施するための形態】
【００１１】
以下に図面を参照して、本発明にかかる無線通信システム、無線装置および処理方法の実施の形態を詳細に説明する。
【００１２】
（実施の形態）
（実施の形態にかかる無線通信システム）
図１は、実施の形態にかかる無線通信システムの一例を示す図である。図１に示すように、実施の形態にかかる通信システム１００は、端末１０１〜１０６と、基地局１１０，１３０と、中央制御装置１５０と、を含む。基地局１１０，１３０は、端末１０１〜１０６との間で無線通信が可能な第１無線装置である。端末１０１〜１０６は、基地局１１０，１３０との間で無線通信が可能な第２無線装置である。
【００１３】
基地局１１０は、それぞれ異なる位置に設けられた送信点１１１〜１２７を有する。送信点１１１〜１２７のそれぞれは、セルを形成し、基地局１１０が無線信号を送信するための送信点である。送信点１１１〜１２７の中の複数の送信点が協調して一つのセルを形成してもよい。また、送信点１１１〜１２７のそれぞれは、基地局１１０が無線信号を受信するための受信ポイントとしても用いられてもよい。基地局１１０と送信点１１１〜１２７の間は、たとえば、ＣＰＲＩ（Ｃｏｍｍｏｎ  Ｐｕｂｌｉｃ  Ｒａｄｉｏ  Ｉｎｔｅｒｆａｃｅ）と呼ばれるインタフェースに準じて接続されてもよい。
【００１４】
基地局１３０は、それぞれ異なる位置に設けられた送信点１３１〜１４６を有する。送信点１３１〜１４６のそれぞれは、セルを形成し、基地局１３０が無線信号を送信するための送信点である。送信点１３１〜１４６の中の複数の送信点が協調して一つのセルを形成してもよい。また、送信点１３１〜１４６のそれぞれは、基地局１３０が無線信号を受信するための受信ポイントとしても用いられてもよい。基地局１３０と送信点１３１〜１４６の間は、たとえば、ＣＰＲＩ（Ｃｏｍｍｏｎ  Ｐｕｂｌｉｃ  Ｒａｄｉｏ  Ｉｎｔｅｒｆａｃｅ）と呼ばれるインタフェースに準じて接続されてもよい。
【００１５】
基地局１１０，１３０のそれぞれには、一例としては、３ＧＰＰに規定されたｅＮＢ（ｅｖｏｌｖｅｄ  Ｎｏｄｅ  Ｂ）を用いることができる。ただし、基地局１１０，１３０のそれぞれには、ｅＮＢに限らず各種の基地局を用いることができる。
【００１６】
端末１０１〜１０６のそれぞれは、送信点１１１〜１２７，１３１〜１４６のうちの少なくともいずれかを用いて、基地局１１０，１３０のうちの少なくともいずれかとの間で無線信号の送受信を行う。端末１０１〜１０６のそれぞれには、たとえば３ＧＰＰに規定されたＵＥ（Ｕｓｅｒ  Ｅｑｕｉｐｍｅｎｔ）を用いることができる。ただし、端末１０１〜１０６のそれぞれには、ＵＥに限らず各種の端末を用いることができる。
【００１７】
中央制御装置１５０は、基地局１１０，１３０による端末１０１〜１０６との間の無線通信を制御する。中央制御装置１５０には、たとえば３ＧＰＰに規定されたＭＭＥ（Ｍｏｂｉｌｉｔｙ  Ｍａｎａｇｅｍｅｎｔ  Ｅｎｔｉｔｙ：移動性管理エンティティ）を用いることができる。ただし、中央制御装置１５０には、ＭＭＥに限らず各種の制御装置を用いることができる。
【００１８】
基地局１１０，１３０は、送信点１１１〜１２７，１３１〜１４６によって送信点間の相互距離を適切に設定することにより小サイズのセルを高密度で配置することができる。これにより、単位面積あたりの無線トラフィック収容可能量を増やすことができる。送信点の数を増やすことにより、更に、単位面積あたりの無線トラフィック収容可能量を増やすことができる。また、基地局１１０，１３０は、複数の送信点を用いることにより、高密度で配置したセル間で発生する無線信号の干渉を利用して伝送レートを高めるＣｏＭＰ送信を行うことが可能である。
【００１９】
基地局１１０，１３０によるＣｏＭＰ送信には、ＤＰＳ（Ｄｙｎａｍｉｃ  Ｐｏｉｎｔ  Ｓｅｌｅｃｔｉｏｎ）方式、ＣＳ／ＣＢ（Ｃｏｏｒｄｉｎａｔｅｄ  Ｓｃｈｅｄｕｌｉｎｇ／Ｃｏｏｒｄｉｎａｔｅｄ  Ｂｅａｍ  ｆｏｒｍｉｎｇ）方式、ＪＴ（Ｊｏｉｎｔ  Ｔｒａｎｓｍｉｓｓｉｏｎ：ジョイントトランスミッション）方式などの各種の方式のＣｏＭＰ送信を用いることができる。以下、主に、基地局１１０，１３０によるＣｏＭＰ送信にＤＰＳ方式のＣｏＭＰ送信を用いる場合について説明する。
【００２０】
通信システム１００においては、たとえば、基地局１１０が、送信点１１１〜１２７に含まれる複数の送信点を用いて端末１０１に対して同一のデータ信号を同時に送信するＣｏＭＰ送信を行う。この場合は、基地局１１０または中央制御装置１５０が、端末１０１へのＣｏＭＰ送信の制御を行う。
【００２１】
または、通信システム１００においては、基地局１１０，１３０が、送信点１１１〜１２７，１３１〜１４６に含まれる複数の送信点を用いて端末１０１に対して同一のデータ信号を同時に送信するＣｏＭＰ送信を行ってもよい。この場合は、中央制御装置１５０が、端末１０１へのＣｏＭＰ送信の制御を行う。
【００２２】
以下、基地局１１０が送信点１１１〜１２７に含まれる複数の送信点を用いて端末１０１に対して同一のデータ信号を同時に送信するＣｏＭＰ送信を行い、基地局１１０が該ＣｏＭＰ送信の制御を行う場合について説明する。
【００２３】
端末１０１は、複数の送信点から送信され空間上で合成された無線データ信号を受信する。基地局１１０は、端末１０１が受信するデータ信号の受信特性が最良になるように、それぞれの送信点から送信するデータ信号に対して位相演算処理を行う。位相演算処理は、送信に使用される送信点ごとに独立して行っても、あるいは、送信に使用される送信点の間にまたがるように行ってもよい。
【００２４】
また、端末１０１の周辺の環境変化、端末１０１の移動、基地局１１０の各送信点の負荷状態の変化に伴い、端末１０１に対してデータ信号を送信する際に使用される送信点、使用される送信点の数等が変化する。
【００２５】
基地局１１０は、端末１０１へのデータ信号の送信に用いる候補の送信点のうちのいずれの送信点を用いて端末１０１へデータ信号を送信するかを、端末１０１から基地局１１０へ送信する報告信号に基づいて決定する。この報告信号には、端末１０１による後述の無線測定結果が含まれる。送信点１１１〜１２７のうちの端末１０１へのデータ信号の送信に用いる候補となる送信点は、端末１０１の移動等にともなって変化する。
【００２６】
（実施の形態にかかる送信点の選択）
図２は、実施の形態にかかる送信点の選択の一例を示す図である。図２においては、基地局１１０が端末１０１へデータ信号を送信するために使用する送信点の選択について説明する。図２に示す送信点２０１〜２１８は、たとえば図１に示した送信点１１１〜１２７に含まれる送信点である。
【００２７】
範囲２５１に含まれる送信点２０１〜２１１は、端末１０１の周辺における各送信点であって、端末１０１における受信電力（無線品質）の測定対象の送信点である。測定対象の送信点の数をＰ＋Ｌ個とする。図２に示す例では、送信点２０１〜２１１の１１個であり、Ｐ＋Ｌ＝１１である。Ｐ＋ＬのうちのＰは、後述の報告対象の送信点の数である。Ｐ＋ＬのうちのＬは、後述の非報告対象の送信点の数である。端末１０１は、測定対象の送信点２０１〜２１１からの無線信号についての受信電力の測定を行う。
【００２８】
ここで、受信電力は、たとえば測定対象の送信点２０１〜２１１からの参照信号の端末１０１におけるＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）やＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）等である。ＲＳＲＰやＲＳＳＩは、たとえば、３ＧＰＰの仕様書のひとつであるＴＳ３６．２１４の中で定義されているものであってもよい。測定対象となる参照信号はセル固有のものであっても、端末固有のものであってもよい。なお、参照信号は、受信した無線信号を復調する目的だけで使用する参照信号ではなく、無線信号を送信する無線装置とその無線信号を受信する無線装置の間の無線空間の品質や特性を評価する目的で送信される参照信号（たとえばＣＳＩ  ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、あるいは、無線装置が他の無線装置の存在を検出することを目的として送信される参照信号（たとえばＤＲＳ：Ｄｉｓｃｏｖｅｒｙ  Ｒｅｆｅｒｅｎｃｅ  Ｓｉｇｎａｌ）とすることができる。
【００２９】
範囲２５１に含まれない送信点２１２〜２１８は、たとえば送信点２０１〜２１１よりも端末１０１から離れた送信点であって、端末１０１における受信電力の測定対象ではない送信点である。なお、測定対象の送信点２０１〜２１１は、基地局１１０が端末１０１に対して指示した送信点であってもよい。端末１０１が移動した場合、送信点２１２〜２１８の中の全て、あるいは、一部が、新たな測定対象候補になることもある。
【００３０】
範囲２５２に含まれる送信点２０１〜２０６は、端末１０１による受信電力の測定結果の基地局１１０への報告対象の送信点である。端末１０１は、送信点２０１〜２０６から送信される参照信号に対し、事前に決められた時間周期、あるいは、基地局から指示された時間周期で、受信電力の測定を行う。この際、干渉信号電力の測定を行ってもよい。端末１０１は、測定対象の送信点２０１〜２１１についての受信電力の測定結果に基づいて、測定対象の送信点２０１〜２１１の中から報告対象の送信点２０１〜２０６を選択する。報告対象の送信点の数をＰ個とする。図２に示す例では、送信点２０１〜２０６の６個であり、Ｐ＝６である。
【００３１】
また、端末１０１は、選択したＰ個の報告対象の送信点２０１〜２０６を示す情報（後述のビット列）を含む報告信号を基地局１１０へ送信する。また、端末１０１は、選択したＰ個の報告対象の送信点２０１〜２０６から送信される参照信号に対する測定の結果を、事前に決められた時間周期、あるいは、基地局から指示された時間周期で、基地局１１０へ送信する。この周期的送信に加え、基地局１１０から要求された時に、端末１０１は測定結果を基地局１１０へ送信してもよい。
【００３２】
Ｐ個の報告対象の送信点２０１〜２０６は、たとえば測定対象の送信点２０１〜２１１のうちの受信電力が所定値以上の送信点とすることができる。この場合は、Ｐは可変の値となる。この所定値は、後述のように、測定対象の送信点２０１〜２１１の各受信電力のうちの最大の受信電力に基づいて設定される値であってもよい。または、Ｐ個の報告対象の送信点２０１〜２０６は、測定対象の送信点２０１〜２１１の中から受信電力が大きい順に選択したＰ個の送信点であってもよい。この場合は、Ｐは予め設定された値となる。
【００３３】
範囲２５１に含まれるが範囲２５２に含まれない送信点２０７〜２１１は、測定対象の送信点２０１〜２１１のうちの報告対象ではない非報告対象の送信点である。非報告対象の送信点の数をＬ個とする。図２に示す例では、送信点２０７〜２１１の５個であり、Ｌ＝５である。端末１０１は、送信点２０７〜２１１が送信する参照信号を認識しているが、それらの参照信号に対する測定を連続して測定することは要求されてはいない。
【００３４】
ただし、たとえば、送信点２０１〜２０６から送信される参照信号の受信電力が低下した際、端末は自主的に送信点２０７〜２１１から送信される参照信号に対する連続測定を開始してもよいし、あるいは、送信点２０１〜２０６から送信される参照信号の受信電力が事前に決められた値あるいは基地局から指示された値以下になった場合、送信点２０７〜２１１から送信される参照信号に対する連続測定を開始してもよい。
【００３５】
送信点２０１，２０２は、ある送信タイミングで端末１０１へデータ信号を送信する使用対象の送信点である。基地局１１０は、端末１０１から送信された報告信号に含まれるビット列が示す報告対象の送信点２０１〜２０６の中から、使用対象の送信点２０１，２０２を選択する。そして、基地局１１０は、使用対象の送信点２０１，２０２から同一のデータ信号を端末１０１へ同時に送信するＣｏＭＰ送信を行う。使用対象の送信点の数をＮ個とする。図２に示す例では、送信点２０１，２０２の２個であり、Ｎ＝２である。
【００３６】
３ＧＰＰのＬＴＥシステムにおいては、送信タイミングの発生周期は１［ｍｓ］であり、端末１０１に対し、ある送信タイミングで単発的に１［ｍｓ］長の時間区間を利用して無線データ信号の送信を行ってもいいし、たとえば２つの連続する送信タイミング（すなわち２［ｍｓ］長の連続した時間区間を利用）で無線データ信号の送信を行ってもいい。
【００３７】
基地局１１０は、報告対象の送信点２０１〜２０６からの使用対象の送信点２０１，２０２の選択を、たとえば、端末１０１から周期的に送信される、報告対象の送信点２０１〜２０６についての受信電力の測定結果に基づいて行う。
【００３８】
一例としては、基地局１１０は、報告対象の送信点２０１〜２０６のうちの端末１０１におけるこれらの送信点から送信される参照信号の受信電力が所定値以上である送信点を使用対象の送信点として選択する。この場合は、Ｎは可変の値となる。または、基地局１１０は、報告対象の送信点２０１〜２０６の中から端末１０１における受信電力が大きい順に選択したＮ個の送信点を使用対象の送信点として選択してもよい。この場合は、Ｐは予め設定された値となる。
【００３９】
また、基地局１１０は、選択した使用対象の送信点の中から主送信点を決定してもよい。主送信点は、たとえば基地局１１０から端末１０１への下りの制御情報の送信に用いられる送信点である。たとえば、基地局１１０は、選択した使用対象の送信点のうちの端末１０１における受信電力が最も大きい送信点を主送信点に決定する。基地局１１０によって選択された使用対象の送信点のうちの主送信点と異なる送信点は、主送信点と協調して端末１０１へデータを送信する協調送信点となる。ここでの制御情報とは、端末１０１に対し送信される無線データ信号に適用されている変調方式や符号化率、ＨＡＲＱ関連の情報などが含まれる。
【００４０】
送信点２０３〜２０６は、報告対象の送信点２０１〜２０６のうち、ある送信タイミングにおいて使用対象の送信点として選択されなかった非使用対象の送信点である。次の送信タイミングでは、送信点２０１，２０２のいずれかまたは両方が送信に使用されず、送信点２０３〜２０６の中のいずれかが送信に使用される可能性がある。非使用対象の送信点の数をＭ個とする。図２に示す例では、送信点２０３〜２０６の４個であり、Ｍ＝４である。また、Ｍの値は可変であり、次の送信タイミングでは、たとえば、３あるいは５という値をとることもありうる。すなわち、各送信タイミングにおいて、端末１０１に対する無線データ信号の送信に使用される送信点の数は可変である。
【００４１】
（実施の形態にかかる基地局）
図３は、実施の形態にかかる基地局の一例を示す図である。図３においては基地局１１０の構成について説明するが、基地局１３０の構成も基地局１１０の構成と同様である。図３に示すように、実施の形態にかかる基地局１１０は、制御部３０１と、制御信号生成部３０２と、データ信号生成部３０３と、参照信号生成部３０４と、信号多重部３０５と、変調部３０６と、ＲＦ送信部３０７と、送信アンテナ群３０８と、を備える。また、基地局１１０は、受信アンテナ３０９と、ＲＦ受信部３１０と、復調部３１１と、信号分離部３１２と、報告信号抽出部３１３と、を備える。
【００４２】
制御部３０１は、基地局１１０における通信の制御を行う。たとえば、制御部３０１は、基地局１１０が送信する参照信号のシーケンス（パターン）を決定し、決定したシーケンスの参照信号を生成するように参照信号生成部３０４を制御する。また、制御部３０１は、決定した参照信号のシーケンス等を示す、参照信号に関する情報を含む制御信号を生成するように制御信号生成部３０２を制御する。また、制御部３０１は、データ信号生成部３０３によるデータ信号の生成を制御する。
【００４３】
制御信号生成部３０２は、制御部３０１からの制御により、基地局１１０が端末（たとえば端末１０１）へ送信する制御信号の生成を行う。そして、制御信号生成部３０２は、生成した制御信号を信号多重部３０５へ出力する。制御信号生成部３０２が生成する制御信号には、たとえば、基地局１１０が各送信点から送信する参照信号に関する情報や、端末についての使用対象の送信点に関する情報が含まれる。対象の端末についての使用対象の送信点に関する情報には、たとえば対象の端末についての使用対象の送信点のうちの主送信点を示す情報が含まれていてもよい。
【００４４】
データ信号生成部３０３は、制御部３０１からの制御により、基地局１１０が端末へ送信するデータ信号の生成を行う。そして、データ信号生成部３０３は、生成したデータ信号を信号多重部３０５へ出力する。参照信号生成部３０４は、制御部３０１からの制御により、基地局１１０が送信する参照信号の生成を行う。そして、参照信号生成部３０４は、生成した参照信号を信号多重部３０５へ出力する。
【００４５】
信号多重部３０５は、制御信号生成部３０２からの制御信号と、データ信号生成部３０３からのデータ信号と、参照信号生成部３０４からの参照信号と、を多重化する。そして、信号多重部３０５は、多重化により得られた信号を変調部３０６へ出力する。信号多重部３０５における多重化には、たとえば、周波数方向および時間方向の少なくともいずれかによる多重化を用いることができる。複数の種類の参照信号、あるいは、同一種類ではあるが信号構成符号を定義するパラメータの値が異なる複数の参照信号を同一時間同一周波数上において符号多重してもよい。
【００４６】
変調部３０６は、信号多重部３０５から出力された信号に基づく変調を行う。そして、変調部３０６は、変調により得られた信号をＲＦ送信部３０７へ出力する。変調部３０６における変調方式には、たとえばＱＰＳＫ（Ｑｕａｄｒａｔｕｒｅ  Ｐｈａｓｅ  Ｓｈｉｆｔ  Ｋｅｙｉｎｇ：四位相偏移変調）、１６ＱＡＭ（Ｑｕａｄｒａｔｕｒｅ  Ａｍｐｌｉｔｕｄｅ  Ｍｏｄｕｌａｔｉｏｎ：直角位相振幅変調）、６４ＱＡＭなどの各種の変調方式を用いることができる。
【００４７】
ＲＦ送信部３０７は、変調部３０６から出力された信号のＲＦ送信処理を行う。そして、ＲＦ送信部３０７は、ＲＦ送信処理を行った信号を、送信アンテナ群３０８を介して無線送信する。ＲＦ送信部３０７におけるＲＦ送信処理には、たとえば、ベースバンド周波数帯からＲＦ（Ｒａｄｉｏ  Ｆｒｅｑｕｅｎｃｙ：高周波）帯へのデジタル／アナログ信号変換や周波数変換や信号電力増幅などが含まれる。
【００４８】
送信アンテナ群３０８は、たとえば図１に示した送信点１１１〜１２７を形成する。すなわち、送信アンテナ群３０８に含まれる各送信アンテナは、たとえば光ファイバー回線等の有線で基地局１１０の本体部に接続され、それぞれ異なる地点に配置される。基地局１１０内の一部の機能を、基地局から離れた場所に配置される送信アンテナ群３０８の中に含め基地局１１０の中に入れないようにしてもよい。この場合、そのような機能として、ＲＦ送信部、光／電気信号変換部、デジタル／アナログ信号変換部等がある。
【００４９】
受信アンテナ３０９は、基地局１１０の外部（たとえば端末１０１）から無線送信された信号を受信する。受信アンテナ３０９は、たとえば送信アンテナ群３０８と共通のアンテナであってもよい。ＲＦ受信部３１０は、受信アンテナ３０９によって受信された信号のＲＦ受信処理を行う。そして、ＲＦ受信部３１０は、ＲＦ受信処理を行った信号を復調部３１１へ出力する。ＲＦ受信部３１０におけるＲＦ受信処理には、たとえば、増幅や、ＲＦ帯からベースバンド周波数帯への周波数変換や、アナログ／デジタル信号変換などが含まれる。
【００５０】
復調部３１１は、ＲＦ受信部３１０から出力された信号の復調を行う。そして、復調部３１１は、復調により得られた信号を信号分離部３１２へ出力する。信号分離部３１２は、復調部３１１から出力された信号を多重分離する。そして、信号分離部３１２は、多重分離により得られた各信号を報告信号抽出部３１３へ出力する。報告信号抽出部３１３は、信号分離部３１２から出力された各信号のうちの端末からの報告信号を抽出する。そして、報告信号抽出部３１３は、抽出した報告信号を制御部３０１へ出力する。
【００５１】
制御部３０１は、報告信号抽出部３１３から出力された報告信号に基づいて、端末についての使用対象の送信点を選択する。そして、制御部３０１は、選択した送信点を示す情報を含む制御信号を生成するように制御信号生成部３０２を制御する。また、制御部３０１は、選択した送信点によって送信されるデータ信号を生成するようにデータ信号生成部３０３を制御する。制御部３０１による使用対象の送信点の選択には、報告信号抽出部３１３から出力された報告信号に加えて、信号分離部３１２から出力された各信号に含まれる、端末からの受信電力の測定結果を用いてもよい。
【００５２】
基地局１１０において、複数の送信点からそれぞれ参照信号を送信する送信部は、たとえば参照信号生成部３０４、信号多重部３０５、変調部３０６、ＲＦ送信部３０７および送信アンテナ群３０８により実現することができる。また、基地局１１０において、端末１０１からのビット列を受信する受信部は、たとえば受信アンテナ３０９、ＲＦ受信部３１０、復調部３１１、信号分離部３１２および報告信号抽出部３１３により実現することができる。
【００５３】
（実施の形態にかかる基地局のハードウェア構成）
図４は、実施の形態にかかる基地局のハードウェア構成の一例を示す図である。図３に示した基地局１１０は、たとえば図４に示す通信装置４００により実現することができる。通信装置４００は、ＣＰＵ４０１と、メモリ４０２と、無線通信インタフェース４０３と、有線通信インタフェース４０４と、を備える。ＣＰＵ４０１、メモリ４０２、無線通信インタフェース４０３および有線通信インタフェース４０４は、バス４０９により接続される。
【００５４】
ＣＰＵ（Ｃｅｎｔｒａｌ  Ｐｒｏｃｅｓｓｉｎｇ  Ｕｎｉｔ）４０１は、通信装置４００の全体の制御を司る。メモリ４０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ４０１のワークエリアとして使用される。補助メモリは、たとえば磁気ディスク、光ディスク、フラッシュメモリなどの不揮発メモリである。補助メモリには、通信装置４００を動作させる各種のプログラムが記憶されている。補助メモリに記憶されたプログラムは、メインメモリにロードされてＣＰＵ４０１によって実行される。
【００５５】
無線通信インタフェース４０３は、無線によって通信装置４００の外部（たとえば端末１０１などの端末）との間で通信を行う通信インタフェースである。無線通信インタフェース４０３は、ＣＰＵ４０１によって制御される。
【００５６】
有線通信インタフェース４０４は、有線によって通信装置４００の外部（たとえば中央制御装置１５０）との間で通信を行う通信インタフェースである。有線通信インタフェース４０４は、ＣＰＵ４０１によって制御される。
【００５７】
図３に示した制御部３０１、制御信号生成部３０２、データ信号生成部３０３、参照信号生成部３０４、信号多重部３０５、信号分離部３１２および報告信号抽出部３１３は、たとえばＣＰＵ４０１により実現することができる。図３に示した変調部３０６、ＲＦ送信部３０７、送信アンテナ群３０８、受信アンテナ３０９、ＲＦ受信部３１０および復調部３１１は、たとえば無線通信インタフェース４０３により実現することができる。
【００５８】
（実施の形態にかかる端末）
図５は、実施の形態にかかる端末の一例を示す図である。図５においては端末１０１の構成について説明するが、端末１０２〜１０６の構成も端末１０１の構成と同様である。図５に示すように、実施の形態にかかる端末１０１は、制御部５０１と、制御信号生成部５０２と、データ信号生成部５０３と、報告信号生成部５０４と、信号多重部５０５と、変調部５０６と、ＲＦ送信部５０７と、送信アンテナ５０８と、を備える。また、端末１０１は、受信アンテナ５０９と、ＲＦ受信部５１０と、信号分離部５１１と、参照信号検出・測定部５１２と、参照信号測定結果評価部５１３と、を備える。また、端末１０１は、復調部５１４と、信号分離部５１５と、制御信号抽出部５１６と、データ信号抽出部５１７と、を備える。
【００５９】
制御部５０１は、端末１０１における通信の制御を行う。たとえば、制御部５０１は、制御信号生成部５０２による制御信号の生成を制御する。また、制御部５０１は、データ信号生成部５０３によるデータ信号の生成を制御する。また、制御部５０１は、報告信号生成部５０４による報告信号の生成を制御する。また、制御部５０１は、参照信号測定結果評価部５１３による測定対象の送信点の評価を制御する。また、制御部５０１は、参照信号検出・測定部５１２による参照信号の検出を制御する。
【００６０】
制御信号生成部５０２は、制御部５０１からの制御により、端末１０１が基地局（たとえば基地局１１０）へ送信する制御信号の生成を行う。そして、制御信号生成部５０２は、生成した制御信号を信号多重部５０５へ出力する。
【００６１】
データ信号生成部５０３は、制御部５０１からの制御により、端末１０１が基地局へ送信するデータ信号の生成を行う。そして、データ信号生成部５０３は、生成したデータ信号を信号多重部５０５へ出力する。
【００６２】
報告信号生成部５０４は、制御部５０１からの制御により、端末１０１が基地局へ送信する報告信号の生成を行う。そして、報告信号生成部５０４は、生成した報告信号を信号多重部５０５へ出力する。報告信号生成部５０４が生成する報告信号は、たとえば、参照信号測定結果評価部５１３から通知された報告対象の送信点を基地局１１０へ報告する情報である。
【００６３】
また、報告信号生成部５０４が生成する報告信号は、さらに、参照信号測定結果評価部５１３から通知された、報告対象の送信点のうちの受信電力が最も大きい送信点を基地局１１０へ報告する報告信号であってもよい。また、報告信号生成部５０４が生成する報告信号は、さらに、参照信号測定結果評価部５１３から通知された、受信電力が最も大きい送信点の受信電力を基地局１１０へ報告する報告信号であってもよい。
【００６４】
信号多重部５０５は、制御信号生成部５０２からの制御信号と、データ信号生成部５０３からのデータ信号と、報告信号生成部５０４からの報告信号と、を多重化する。そして、信号多重部５０５は、多重化により得られた信号を変調部５０６へ出力する。信号多重部５０５における多重化には、たとえば、周波数方向および時間方向の少なくともいずれかによる多重化を用いることができる。なお、報告信号の中に入れて送信される報告する情報を報告信号の中ではなくデータ信号の中に入れて送信してもよい。この場合、報告する情報が入れられたデータ信号は報告信号と多重されずに送信されるか、あるいは他の情報が入れられた報告信号と多重して送信される。
【００６５】
変調部５０６は、信号多重部５０５から出力された信号に基づく変調を行う。そして、変調部５０６は、変調により得られた信号をＲＦ送信部５０７へ出力する。変調部５０６における変調方式には、一例としては、ＱＰＳＫ、１６ＱＡＭ、６４ＱＡＭなど各種の変調方式を用いることができる。
【００６６】
ＲＦ送信部５０７は、変調部５０６から出力された信号のＲＦ送信処理を行う。そして、ＲＦ送信部５０７は、ＲＦ送信処理を行った信号を、送信アンテナ５０８を介して無線送信する。ＲＦ送信部５０７におけるＲＦ送信処理には、たとえば、ベースバンド周波数帯からＲＦ帯へのデジタル／アナログ信号変換、周波数変換や増幅などが含まれる。
【００６７】
受信アンテナ５０９は、端末１０１の外部（たとえば基地局１１０）から無線送信された信号を受信する。受信アンテナ５０９は、たとえば送信アンテナ５０８と共通のアンテナであってもよい。ＲＦ受信部５１０は、受信アンテナ５０９によって受信された信号のＲＦ受信処理を行う。そして、ＲＦ受信部５１０は、ＲＦ受信処理を行った信号を信号分離部５１１へ出力する。ＲＦ受信部５１０におけるＲＦ受信処理には、たとえば、増幅や、ＲＦ帯からベースバンド周波数帯への周波数変換、アナログ／デジタル信号変換などが含まれる。
【００６８】
信号分離部５１１は、ＲＦ受信部５１０から出力された信号を多重分離する。そして、信号分離部５１１は、多重分離により得られた参照信号を参照信号検出・測定部５１２へ出力し、多重分離により得られた他の信号を復調部５１４へ出力する。
【００６９】
参照信号検出・測定部５１２は、制御部５０１からの制御により、信号分離部５１１から出力された各信号に含まれる参照信号の検出と、検出した参照信号に基づく受信電力の測定と、を行う。たとえば、端末１０１についての測定対象の各送信点は、それぞれ異なる無線リソース（たとえばサブフレーム）と対応付けられている。この対応付けは、たとえば基地局１１０から通知される。このため、参照信号検出・測定部５１２は、測定対象の各送信点と対応付けられた各無線リソースによって送信された参照信号の受信電力を測定することにより、測定対象の各送信点からの参照信号の受信電力をそれぞれ測定することができる。また、参照信号検出・測定部５１２は、受信電力の測定結果を参照信号測定結果評価部５１３へ出力する。
【００７０】
参照信号測定結果評価部５１３は、制御部５０１からの制御により、参照信号検出・測定部５１２から出力された受信電力の測定結果に基づいて、端末１０１における測定対象の送信点の評価を行う。そして、参照信号測定結果評価部５１３は、評価結果に基づいて、測定対象の送信点の中から報告対象の送信点を選択する。
【００７１】
また、参照信号測定結果評価部５１３は、選択した報告対象の送信点を報告信号生成部５０４へ通知する。また、参照信号測定結果評価部５１３は、さらに、選択した報告対象の送信点のうちの受信電力が最も大きい送信点や、該受信電力が最も大きい送信点の受信電力を報告信号生成部５０４へ通知してもよい。
【００７２】
復調部５１４は、信号分離部５１１から出力された信号の復調を行う。そして、復調部５１４は、復調により得られた信号を信号分離部５１５へ出力する。信号分離部５１５は、復調部５１４から出力された信号の多重分離を行う。そして、信号分離部５１５は、多重分離により得られた各信号を制御信号抽出部５１６およびデータ信号抽出部５１７へ出力する。
【００７３】
制御信号抽出部５１６は、制御部５０１からの制御により、信号分離部５１５から出力された各信号のうちの、基地局からの制御信号を抽出する。そして、制御信号抽出部５１６は、抽出した制御信号を制御部５０１へ出力する。制御信号抽出部５１６が抽出する制御信号には、たとえば、上述した参照信号に関する情報や、使用対象の送信点に関する情報などが含まれる。
【００７４】
データ信号抽出部５１７は、制御部５０１からの制御により、信号分離部５１５から出力された各信号のうちの、基地局からのデータ信号を抽出する。そして、データ信号抽出部５１７は、抽出したデータ信号を制御部５０１へ出力する。
【００７５】
たとえば、制御部５０１は、制御信号抽出部５１６から出力された参照信号に関する情報に基づいて、参照信号検出・測定部５１２による参照信号の検出を制御する。また、制御部５０１は、制御信号抽出部５１６から出力された参照信号に関する情報に基づいて、参照信号測定結果評価部５１３における送信点の評価を制御する。
【００７６】
また、制御部５０１は、制御信号抽出部５１６から出力された送信点に関する情報に基づいて、制御信号抽出部５１６による制御信号の抽出を制御する。また、制御部５０１は、制御信号抽出部５１６から出力された送信点に関する情報に基づいて、データ信号抽出部５１７によるデータ信号の抽出を制御する。
【００７７】
端末１０１において、基地局１１０により複数の送信点からそれぞれ送信された参照信号の受信電力を測定する測定部は、たとえば受信アンテナ５０９、ＲＦ受信部５１０、信号分離部５１１および参照信号検出・測定部５１２により実現することができる。また、端末１０１において、ビット列を基地局１１０へ送信する送信部は、報告信号生成部５０４、信号多重部５０５、変調部５０６、ＲＦ送信部５０７および送信アンテナ５０８により実現することができる。
【００７８】
（実施の形態にかかる端末のハードウェア構成）
図６は、実施の形態にかかる端末のハードウェア構成の一例を示す図である。図５に示した端末１０１は、たとえば図６に示す通信装置６００により実現することができる。通信装置６００は、ＣＰＵ６０１と、メモリ６０２と、ユーザインタフェース６０３と、無線通信インタフェース６０４と、を備える。ＣＰＵ６０１、メモリ６０２、ユーザインタフェース６０３および無線通信インタフェース６０４は、バス６０９により接続される。
【００７９】
ＣＰＵ６０１は、通信装置６００の全体の制御を司る。メモリ６０２には、たとえばメインメモリおよび補助メモリが含まれる。メインメモリは、たとえばＲＡＭである。メインメモリは、ＣＰＵ６０１のワークエリアとして使用される。補助メモリは、たとえば磁気ディスク、フラッシュメモリなどの不揮発メモリである。補助メモリには、通信装置６００を動作させる各種のプログラムが記憶されている。補助メモリに記憶されたプログラムは、メインメモリにロードされてＣＰＵ６０１によって実行される。
【００８０】
ユーザインタフェース６０３は、たとえば、ユーザからの操作入力を受け付ける入力デバイスや、ユーザへ情報を出力する出力デバイスなどを含む。入力デバイスは、たとえばキー（たとえばキーボード）やリモコンなどにより実現することができる。出力デバイスは、たとえばディスプレイやスピーカなどにより実現することができる。また、タッチパネルなどによって入力デバイスおよび出力デバイスを実現してもよい。ユーザインタフェース６０３は、ＣＰＵ６０１によって制御される。
【００８１】
無線通信インタフェース６０４は、無線によって通信装置６００の外部（たとえば基地局１１０などの基地局）との間で通信を行う通信インタフェースである。無線通信インタフェース６０４は、ＣＰＵ６０１によって制御される。
【００８２】
図５に示した制御部５０１、制御信号生成部５０２、データ信号生成部５０３、報告信号生成部５０４および信号多重部５０５は、たとえばＣＰＵ６０１により実現することができる。図５に示した参照信号測定結果評価部５１３、信号分離部５１５、制御信号抽出部５１６およびデータ信号抽出部５１７は、たとえばＣＰＵ６０１により実現することができる。図５に示した変調部５０６、ＲＦ送信部５０７、送信アンテナ５０８、受信アンテナ５０９、ＲＦ受信部５１０、信号分離部５１１、参照信号検出・測定部５１２および復調部５１４は、たとえば無線通信インタフェース６０４により実現することができる。
【００８３】
（実施の形態にかかる各送信点からの参照信号の送信）
図７は、実施の形態にかかる各送信点からの参照信号の送信の一例を示す図である。図７においては、端末１０１における測定対象の送信点がｍ個の送信点＃１〜＃ｍである場合について説明する。ｍは２以上の自然数であり、任意に設定可能である（たとえばｍ＝｛１６，３２，６４｝）。図７に示す例ではｍ＝１６とする。測定対象の送信点＃１〜＃ｍは、たとえば図２に示したＰ＋Ｌ個の送信点２０１〜２１１に対応する。
【００８４】
図７は、基地局１１０における下り無線リンクのサブフレームを示し、横軸方向は時間軸を示す。１個のサブフレームの時間軸上での長さは、たとえば、１［ｍｓ］である。送信タイミング７１０，７２０，７３０，７４０は、それぞれ送信点＃１〜＃４による参照信号の送信タイミングを示している。
【００８５】
また、図７に示す例では、基地局１１０は、送信点＃１〜＃ｍのそれぞれにおいて、ｍサブフレームごとに参照信号を送信する。そして、基地局１１０は、送信点＃１〜＃ｍのそれぞれにおいて、参照信号を送信するサブフレームが異なるように制御する。以下、ｋ＝０，１，２，…とする。
【００８６】
たとえば、送信タイミング７１０に示すように、基地局１１０は、送信点＃１により、第（ｋ＊１６＋１）サブフレームにおいて、参照信号をマッピングしたＯＦＤＭシンボルを送信する。すなわち、基地局１１０は、送信点＃１により、第１サブフレーム、第１７サブフレーム、…において、参照信号をマッピングしたＯＦＤＭシンボル７１１，７１２，…を送信する。
【００８７】
また、送信タイミング７２０に示すように、基地局１１０は、送信点＃２により、第（ｋ＊１６＋２）サブフレームにおいて、参照信号をマッピングしたＯＦＤＭシンボルを送信する。すなわち、基地局１１０は、送信点＃２により、第２サブフレーム、第１８サブフレーム、…において、参照信号をマッピングしたＯＦＤＭシンボル７２１，７２２，…を送信する。
【００８８】
また、送信タイミング７３０に示すように、基地局１１０は、送信点＃３により、第（ｋ＊１６＋３）サブフレームにおいて、参照信号をマッピングしたＯＦＤＭシンボルを送信する。すなわち、基地局１１０は、送信点＃３により、第３サブフレーム、第１９サブフレーム、…において、参照信号をマッピングしたＯＦＤＭシンボル７３１，７３２，…を送信する。
【００８９】
また、送信タイミング７４０に示すように、基地局１１０は、送信点＃４により、第（ｋ＊１６＋４）サブフレームにおいて、参照信号をマッピングしたＯＦＤＭシンボルを送信する。すなわち、基地局１１０は、送信点＃４により、第４サブフレーム、第２０サブフレーム、…において、参照信号をマッピングしたＯＦＤＭシンボル７４１，７４２，…を送信する。
【００９０】
また、基地局１１０は、送信点＃５〜＃ｍについても同様に、それぞれ第（ｋ＊１６＋５）〜（ｋ＊１６＋ｍ）サブフレームにおいて、それぞれ参照信号をマッピングしたＯＦＤＭシンボルを送信する。これにより、基地局１１０は、送信点＃１〜＃ｍからの各参照信号を、送信点によって異なるサブフレーム（タイミング）にマッピングして送信することができる。
【００９１】
また、基地局１１０が送信点＃１〜＃ｍから送信する各参照信号には、送信点＃１〜＃ｍの間で共通のシーケンス（パターン）の参照信号を用いることができる。このように、基地局１１０は、ある一定エリア内の送信点間で共通のシーケンスを用いる参照信号を、隣接する送信点間で異なるサブフレーム上で周期的（ｍサブフレームごと）に送信する。各送信点の参照信号に共通のシーケンスを用いることにより、基地局１１０から端末１０１への参照信号のシーケンスの通知に要する無線リソースを少なくすることができる。また、送信点＃１〜＃ｍの間で共通のシーケンスの参照信号を用いる際、送信点間で異なる長さの巡回シフトを各送信点から送信される参照信号に対し施してもよい。端末は、巡回シフト量を検出することにより、受信した参照信号が送信点＃１〜＃ｍの中のどの送信点から送信されたのかを知ることが可能になる。
【００９２】
基地局１１０が各送信点において参照信号を送信する周期ｍは、たとえば送信点の配置密度に応じて設定することができる。たとえば、送信点の配置密度が大きくなるにつれ、ｍの値を大きくしてセル繰り返し数を大きくすることで、基地局１１０が各送信点において参照信号を適切に設定することができる。
【００９３】
また、各サブフレームにおける参照信号がマッピングされる位置は、たとえばサブフレーム内の第ｎ番目のＯＦＤＭシンボル上のｘ番目からｙ番目のサブキャリアなど、予め設定しておくことができる。また、送信点＃１〜＃ｍのそれぞれにおいて、参照信号がマッピングされたＯＦＤＭシンボルが一つのサブフレーム内で複数個送信されてもよい。また、参照信号がマッピングされた一つのＯＦＤＭシンボル上に、無線データ信号の一部が参照信号に対し周波数多重あるいは符号多重されるようにマッピングされてもよい。
【００９４】
端末１０１は、たとえば基地局１１０から送信される同期信号に基づいて各サブフレームのタイミングを認識することができる。ここでいうタイミングとは、時間領域における各サブフレームの先頭位置ということができる。そして、端末１０１は、時間方向に参照信号に対してスキャン測定を行い、送信点＃１〜＃ｍのうちの受信電力が最大となる送信点を特定する。この最大の受信電力をＡ［ｄＢｍ］とする。
【００９５】
また、端末１０１は、送信点＃１〜＃ｍのうちの受信電力がＡ［ｄＢｍ］以下、かつＡ−Ｂ［ｄＢｍ］以上となる送信点を特定する。これにより、最も大きい受信電力Ａとの差が所定値（Ｂ）以下である送信点を報告対象の送信点として特定することができる。Ｂは、固定値としてもよいし、基地局１１０が端末１０１へ通知するパラメータとしてもよい。
【００９６】
端末１０１は、受信電力がＡ［ｄＢｍ］以下、かつＡ−Ｂ［ｄＢｍ］以上となる送信点を示すｍビットのビット列と、受信電力が最大の送信点を示す識別情報（たとえばセルＩＤ）と、を含む報告信号を基地局１１０へ送信する。
【００９７】
ビット列は、各ビット位置が各サブフレームに対応付けられたビットマップ（ビット配列）である。たとえば、ビット列は、ＭＳＢ（Ｍｏｓｔ  Ｓｉｇｎｉｆｉｃａｎｔ  Ｂｉｔ：最上位ビット）がサブフレーム＃０に対応し、ＬＳＢ（Ｌｅａｓｔ  Ｓｉｇｎｉｆｉｃａｎｔ  Ｂｉｔ：最下位ビット）がサブフレーム＃ｍ−１に対応付けられる。そして、送信点＃１〜＃ｍはそれぞれ異なるサブフレームに対応しているため、ビット列の各ビット位置が各サブフレームに対応付けられることにより、ビット列の各ビット位置がそれぞれ送信点＃１〜＃ｍに対応付けられる。
【００９８】
端末１０１が受信したサブフレームのサブフレーム番号と送信点番号（＃１から＃ｍ）の関係を端末１０１が把握できるようにするために、たとえば、フレーム番号とｍの関係を事前に式で定義することが可能である。たとえば、３ＧＰＰで仕様が作成されるＬＴＥシステムにおいては、１フレームは１０サブフレームで構成され、特定のサブフレーム上で送信されるＰＢＣＨ（Ｐｒｉｍａｒｙ  Ｂｒｏａｄｃａｓｔ  Ｃｈａｎｎｅｌ：プライマリー報知チャネル）を通じて端末はフレーム番号とサブフレーム番号を把握できるので、フレーム番号とサブフレーム番号と送信点番号の関係が一意に決まる式を事前に定義しておくことが可能である。
【００９９】
図７に示す例では、送信点＃１によって送信されたＯＦＤＭシンボル７１１，７１２，…にマッピングされた参照信号の端末１０１における受信電力が−１２［ｄＢｍ］であったとする。また、送信点＃２によって送信されたＯＦＤＭシンボル７２１，７２２，…にマッピングされた参照信号の端末１０１における受信電力が−８［ｄＢｍ］であったとする。
【０１００】
また、送信点＃３によって送信されたＯＦＤＭシンボル７３１，７３２，…にマッピングされた参照信号の端末１０１における受信電力が−１７［ｄＢｍ］であったとする。また、送信点＃４によって送信されたＯＦＤＭシンボル７４１，７４２，…にマッピングされた参照信号の端末１０１における受信電力が−１１［ｄＢｍ］であったとする。
【０１０１】
そして、送信点＃１〜＃ｍのうちの、参照信号の受信電力が最大であった送信点が送信点＃２（受信電力＝−８［ｄＢｍ］）であったとする。また、Ｂ＝５であるとする。この場合は、上述したＡ−Ｂは、Ａ−Ｂ＝−８−５＝−１３となる。
【０１０２】
送信点＃１〜＃ｍのうちの、参照信号の受信電力が−１３［ｄＢｍ］以上である送信点は、送信点＃１，＃２，＃４（それぞれ受信電力が−１２［ｄＢｍ］、−８［ｄＢｍ］、−１１［ｄＢｍ］）のみであったとする。
【０１０３】
この場合は、端末１０１は、報告対象の送信点として送信点＃１，＃２，＃４を選択し、送信点＃１，＃２，＃４を示すビット列を含む報告信号を基地局１１０へ送信する。送信点＃１，＃２，＃４を示すビット列は、たとえば、“１１０１００００００００００００”とすることができる。このビット列は、測定対象の送信点＃１〜＃ｍの数に対応するｍビットのビット列である。そして、このビット列の第１〜第ｍビットは、それぞれ送信点＃１〜＃ｍが報告対象の送信点であるか、すなわち受信電力がＡ−Ｂ以上であるか否かを示している。
【０１０４】
上述したように送信点＃１，＃２，＃４のみが報告対象の送信点である場合は、第１，第２，第４ビットのみが“１”であり、残りのビットが“０”である上述したビット列“１１０１００００００００００００”が生成される。なお、ビットの値の意味は任意に設計可能であり、たとえば送信点に対応するビットが“０”であり、他のビットが“１”であってもよい。
【０１０５】
端末１０１は、このビット列“１１０１００００００００００００”を含む報告信号を基地局１１０へ送信する。これにより、送信点＃１〜＃ｍのうちの送信点＃１，＃２，＃４が報告対象の送信点であることを基地局１１０に通知することができる。
【０１０６】
また、上述のように、送信点＃１〜＃ｍの中から、最大の受信電力Ａを基準（Ａ−Ｂ［ｄＢｍ］以上）として報告対象の送信点を選択することで、基地局１１０は事前にＢを端末１０１へ通知しておけばよい。Ｂは、最大の受信電力Ａに基づく相対的な基準を決定するパラメータであるため、Ｂのとり得る値の範囲は狭くすることができる。このため、端末１０１が報告対象の送信点を選択するために基地局１１０が端末１０１へ送信する制御信号の情報量を少なくすることができる。
【０１０７】
また、たとえば基地局１１０がＪＴ方式のＣｏＭＰ送信を行う場合は、端末１０１における受信電力の差が小さくなる送信点を組み合わせることにより伝送特性がよくなる。たとえば受信電力差が１［ｄＢ］となる各送信点をＪＴ方式のＣｏＭＰ送信における送信点と組み合わせる場合は、Ｂ＝１と設定することにより、いずれの送信点が好ましいかを、ビット列により基地局１１０に通知することが可能になる。
【０１０８】
また、端末１０１は、送信点＃１〜＃ｍのうちの受信電力がＣ以上の送信点を報告対象の送信点として選択してもよい。Ｃは、最大の受信電力Ａに基づく相対基準である上述したＡ−Ｂと異なり、絶対的な基準である。Ｃは、たとえば基地局１１０によって決定され、基地局１１０から端末１０１へ通知される。
【０１０９】
また、端末１０１は、ビット列に加えて、受信電力が最大の送信点＃２の識別情報（たとえばセルＩＤ）を含む報告信号を基地局１１０へ送信してもよい。これにより、基地局１１０に対して、報告対象の送信点＃１，＃２，＃４のうちの送信点＃２の受信電力が最大であることを通知することができる。
【０１１０】
これに対して、基地局１１０は、たとえば、報告対象の送信点＃１，＃２，＃４のうちの受信電力が最大の送信点＃２を端末１０１についての主送信点とし、他の送信点＃１，＃４を協調送信点に設定することができる。
【０１１１】
または、端末１０１は、受信電力が最大の送信点＃２の識別情報（たとえばセルＩＤ）に代えて、受信電力が最大の送信点＃２に対応するビット列上のビット位置を示す情報を含む報告信号を基地局１１０へ送信してもよい。これにより、基地局１１０に対して、報告対象の送信点＃１，＃２，＃４のうちの送信点＃２の受信電力が最大であることを通知することができる。また、送信点＃２の識別情報（たとえば９ビットのセルＩＤ）を含む報告信号を送信する場合に比べて、報告信号の情報量を少なくすることができる。たとえば、ビット列が上述のように１６ビットである場合は、送信点＃２に対応するビット列上のビット位置を示す情報は、１６通りのビット位置のいずれかを示す４ビットの情報によって実現することができる。
【０１１２】
また、端末１０１は、ビット列および送信点＃２の識別情報に加えて、送信点＃２について測定した受信電力を示す測定結果を含む報告信号を基地局１１０へ送信してもよい。これにより、基地局１１０に対して、送信点＃２について測定した受信電力を通知することができる。
【０１１３】
これに対して、基地局１１０は、たとえば、送信点＃２について測定した受信電力が所定値を下回っている場合は、基地局１１０による端末１０１へのデータ信号の送信が困難であると判断することができる。たとえば、基地局１１０がフェムトセル等のスモールセルである場合に、基地局１１０は、基地局１１０による端末１０１へのデータ信号の送信が困難であると判断すると、端末１０１をマクロ基地局や近接のスモールセル基地局へハンドオーバさせるなどの処理を行うことができる。
【０１１４】
（実施の形態にかかる通信システムにおける処理）
図８は、実施の形態にかかる通信システムにおける処理の一例を示すシーケンス図である。実施の形態にかかる通信システム１００においては、たとえば、基地局１１０と端末１０１との間において、図８に示す各ステップが実行される。図８に示す各ステップは、たとえば、基地局１１０と端末１０１との間における通信の開始時に行われる。また、図８に示す各ステップは、基地局１１０と端末１０１との間において通信が行われている間に周期的に行われてもよい。特に端末１０１が移動し、端末１０１に対し無線データ信号を送信可能な潜在的送信点候補が変化する時、参照信号に関する情報（たとえばステップＳ８０１）の内容が大きく変わりうる。
【０１１５】
まず、基地局１１０は、基地局１１０が各送信点から送信する参照信号に関する情報を端末１０１へ送信する（ステップＳ８０１）。参照信号に関する情報には、上述したｍの値や参照信号のシーケンス（パターン）を示すパラメータなどが含まれる。
【０１１６】
また、基地局１１０が、Ｂの値を端末１０１へ送信する（ステップＳ８０２）。Ｂは、上述した最大の受信電力Ａを基準として報告対象の送信点を選択するためのパラメータである。ステップＳ８０１，Ｓ８０２における送信には、たとえばＰＤＳＣＨ（Ｐｈｙｓｉｃａｌ  Ｄｏｗｎｌｉｎｋ  Ｓｈａｒｅｄ  Ｃｈａｎｎｅｌ：物理下りリンク共有チャネル）などの下りリンクのチャネルを用いることができる。
【０１１７】
また、基地局１１０は、参照信号に関する情報およびＢの値をまとめて端末１０１へ送信してもよい。
【０１１８】
つぎに、端末１０１が、ステップＳ８０１によって送信された参照信号に関する情報に基づいて、基地局１１０が各送信点から送信する参照信号の検出を行い、検出した参照信号の受信電力の測定を行う（ステップＳ８０３）。
【０１１９】
つぎに、端末１０１が、ステップＳ８０２によって送信されたＢの値と、ステップＳ８０３による受信電力の測定結果と、に基づいて、上述した報告対象の送信点を選択する。そして、端末１０１は、選択した報告対象の送信点を示すビット列を含む報告信号を生成する（ステップＳ８０４）。ステップＳ８０４によって生成される報告信号には、ビット列に加えて、参照信号の受信電力が最大の送信点のＩＤや、該送信点からの参照信号の受信電力が含まれていてもよい。端末１０１によるビット列の生成方法については後述する（たとえば図９参照）。
【０１２０】
つぎに、端末１０１が、ステップＳ８０４によって生成した報告信号を基地局１１０へ送信する（ステップＳ８０５）。ステップＳ８０５による送信には、たとえば、ＰＵＣＣＨ（Ｐｈｙｓｉｃａｌ  Ｕｐｌｉｎｋ  Ｃｏｎｔｒｏｌ  Ｃｈａｎｎｅｌ：物理上りリンク制御チャネル）やＰＵＳＣＨ（Ｐｈｙｓｉｃａｌ  Ｕｐｌｉｎｋ  Ｓｈａｒｅｄ  Ｃｈａｎｎｅｌ：物理上りリンク共有チャネル）などの上りリンクのチャネルを用いることができる。
【０１２１】
つぎに、基地局１１０が、端末１０１へのデータ信号の送信に使用する使用対象の送信点の設定を行う（ステップＳ８０６）。使用対象の送信点は、たとえば図２に示した送信点２０１，２０２に対応する送信点である。ステップＳ８０６において、基地局１１０は、たとえば、端末１０１についての使用対象の送信点のうちの主送信点および協調送信点の少なくともいずれかの変更を要するか否かを判断する。
【０１２２】
基地局１１０は、主送信点および協調送信点の少なくともいずれかの変更を要すると判断した場合は、端末１０１に対して主送信点および協調送信点の少なくともいずれかの変更を行い、該変更を示す制御信号を端末１０１へ送信する。ただし、主送信点の変更は無いが協調送信点の変更だけが生じた場合、基本的には、協調送信点の変更を端末１０１に通知しなくてもよい。また、基地局１１０は、主送信点および協調送信点のいずれの変更も要しないと判断した場合は、現状の主送信点および協調送信点を維持する。
【０１２３】
つぎに、基地局１１０が、ステップＳ８０６によって設定された使用対象の送信点（主送信点および協調送信点）を用いて端末１０１へデータ信号を送信する（ステップＳ８０７）。
【０１２４】
（実施の形態にかかる端末によるビット列の生成処理）
図９は、実施の形態にかかる端末によるビット列の生成処理の一例を示すフローチャートである。端末１０１は、図８に示したステップＳ８０４において、図９に示す各ステップを実行することにより、報告信号に含めるビット列を生成する。図９において、ｉは、ｍ個のサブフレームに対応するインデクスである（ｉ＝｛１，２，…，ｍ｝）。
【０１２５】
まず、端末１０１は、ｍ個のサブフレームｉのそれぞれについて、サブフレームｉにおける参照信号の受信電力Ｐｉ［ｄＢｍ］を測定する（ステップＳ９０１）。つぎに、端末１０１は、ステップＳ９０１によって測定した受信電力Ｐｉの中の最大値をＡとして設定する（ステップＳ９０２）。
【０１２６】
つぎに、端末１０１は、インデクスｉを初期化（ｉ＝１）する（ステップＳ９０３）。つぎに、端末１０１は、受信電力ＰｉがＡ−Ｂ以上であるか否かを判断する（ステップＳ９０４）。Ａは、ステップＳ９０２によって設定された受信電力Ｐｉの中の最大値である。Ｂは、図８に示したステップＳ８０２によって基地局１１０から端末１０１へ送信された値である。
【０１２７】
ステップＳ９０４において、受信電力ＰｉがＡ−Ｂ以上である場合（ステップＳ９０４：Ｙｅｓ）は、サブフレームｉにおいて参照信号を送信した送信点ｉが基準を満たすと判断することができる。この場合は、端末１０１は、ビットＢｉを“１”に設定し（ステップＳ９０５）、ステップＳ９０７へ移行する。ビットＢｉは、上述したビット列におけるｉ番目のビットの値であり、サブフレームｉにおいて参照信号を送信した送信点ｉが基準を満たすか否かを示す情報である。
【０１２８】
ステップＳ９０４において、受信電力ＰｉがＡ−Ｂ以上でない場合（ステップＳ９０４：Ｎｏ）は、サブフレームｉにおいて参照信号を送信した送信点ｉが基準を満たさないと判断することができる。この場合は、端末１０１は、ビットＢｉを“０”に設定する（ステップＳ９０６）。
【０１２９】
つぎに、端末１０１は、ｉをインクリメント（ｉ＝ｉ＋１）する（ステップＳ９０７）。つぎに、端末１０１は、ｉがｍより大きいか否かを判断する（ステップＳ９０８）。ｉがｍより大きくない場合（ステップＳ９０８：Ｎｏ）は、端末１０１は、ステップＳ９０４へ戻る。ｉがｍより大きい場合（ステップＳ９０８：Ｙｅｓ）は、端末１０１は、一連の処理を終了する。この時点で、ステップＳ９０５またはステップＳ９０６により設定したＢｉをｉの順に並べたものが、図８に示したステップＳ８０４によって生成される報告信号に含まれるビット列となる。
【０１３０】
（実施の形態にかかる基地局による処理）
図１０は、実施の形態にかかる基地局による処理の一例を示すフローチャートである。実施の形態にかかる基地局１１０は、たとえば図１０に示す各ステップを実行する。まず、基地局１１０は、基地局１１０が各送信点から送信する参照信号に関する情報を端末１０１へ送信する（ステップＳ１００１）。
【０１３１】
つぎに、基地局１１０は、各送信点から参照信号を送信する（ステップＳ１００２）。つぎに、基地局１１０は、端末１０１からの報告信号を受信する（ステップＳ１００３）。つぎに、基地局１１０は、ステップＳ１００３によって受信した報告信号に含まれるビット列の値が全てゼロであるか否かを判断する（ステップＳ１００４）。
【０１３２】
ステップＳ１００４において、ビット列の値が全てゼロである場合（ステップＳ１００４：Ｙｅｓ）は、端末１０１についての現在の測定対象の送信点の全てが基準を満たさなかったと判断することができる。この場合は、基地局１１０は、端末１０１についての測定対象の送信点の候補を再設定する（ステップＳ１００５）。
【０１３３】
また、基地局１１０は、新たな参照信号を生成する（ステップＳ１００６）。新たな参照信号は、たとえばシーケンスを変更した参照信号である。つぎに、基地局１１０は、ステップＳ１００６によって生成した参照信号に関する情報の生成および端末１０１への送信を行い（ステップＳ１００７）、ステップＳ１００２へ戻る。
【０１３４】
ステップＳ１００４において、ビット列の値が全てゼロでない場合（ステップＳ１００４：Ｎｏ）は、端末１０１についての現在の測定対象の送信点の少なくともいずれかが基準を満たしたと判断することができる。この場合は、基地局１１０は、ステップＳ１００３によって受信した報告信号に基づいて、端末１０１についての現在の測定対象の送信点のうちの受信電力が最大の送信点を特定する（ステップＳ１００８）。
【０１３５】
つぎに、基地局１１０は、ステップＳ１００８によって特定した受信電力が最大の送信点が、端末１０１についての現在の主送信点と同一であるか否かを判断する（ステップＳ１００９）。受信電力が最大の送信点が主送信点と同一である場合（ステップＳ１００９：Ｙｅｓ）は、基地局１１０は、ステップＳ１０１２へ移行する。受信電力が最大の送信点が主送信点と同一でない場合（ステップＳ１００９：Ｎｏ）は、基地局１１０は、ステップＳ１００８によって特定した受信電力が最大の送信点を主送信点とするように主送信点の変更を行う（ステップＳ１０１０）。つぎに、基地局１１０は、主送信点の変更を示す制御信号を端末１０１へ送信する（ステップＳ１０１１）。
【０１３６】
つぎに、基地局１１０は、端末１０１についての協調送信点の変更を要するか否かを判断する（ステップＳ１０１２）。ステップＳ１０１２の判断は、たとえば、報告信号に含まれるビット列が示すＰ個の送信点のうちの端末１０１の主送信点を除く送信点が、端末１０１についての現在の協調送信点と同一であるか否かによって判断することができる。
【０１３７】
ステップＳ１０１２において、変更を要しないと判断した場合（ステップＳ１０１２：Ｎｏ）は、基地局１１０は、ステップＳ１０１４へ移行する。変更を要すると判断した場合（ステップＳ１０１２：Ｙｅｓ）は、基地局１１０は、端末１０１についての協調送信点の変更を行う（ステップＳ１０１３）。このとき、たとえば、基地局１１０は、協調送信点の変更を示す制御情報を端末１０１へ送信してもよい。
【０１３８】
つぎに、基地局１１０は、端末１０１へ送信するデータがあるか否かを判断する（ステップＳ１０１４）。端末１０１へ送信するデータがない場合（ステップＳ１０１４：Ｎｏ）は、基地局１１０は、ステップＳ１００２へ戻る。端末１０１へ送信するデータがある場合（ステップＳ１０１４：Ｙｅｓ）は、基地局１１０は、該データ信号を端末１０１に送信し（ステップＳ１０１５）、ステップＳ１００２へ戻る。
【０１３９】
（実施の形態にかかる各送信点からの参照信号の送信の他の例）
図１１は、実施の形態にかかる各送信点からの参照信号の送信の他の例を示す図である。図１１において、図７に示した部分と同様の部分については同一の符号を付して説明を省略する。図７においては各サブフレームにおいて送信点＃１〜＃ｍの参照信号を送信する場合について説明したが、いずれの送信点の参照信号を送信しないサブフレームを設けてもよい。
【０１４０】
図１１に示す例では、ｍ＝２０とする。図１１に示す送信タイミング１１１０は、送信点＃１１による参照信号の送信タイミングを示している。ＯＦＤＭシンボル１１１１，１１１２は、基地局１１０が送信点＃１１により送信する、参照信号がマッピングされたＯＦＤＭシンボルである。
【０１４１】
たとえば、図１１に示すように、基地局１１０は、１０２４０サブフレーム周期のそれぞれにおける先頭のｍサブフレームのみを用いて送信点＃１〜＃ｍの参照信号を送信する。すなわち、基地局１１０は、第１〜第ｍサブフレームを用いて送信点＃１〜＃ｍの各参照信号を送信すると、その後、第１０２４０サブフレームまでは参照信号を送信しない。そして、基地局１１０は、第１０２４１〜第ｍ＋１０２４０サブフレームを用いて送信点＃１〜＃ｍの各参照信号を送信する。
【０１４２】
ＬＴＥにおいては、フレームの番号は０から１０２３までの１０２４個であり、１０２４個のフレームごとに０から１０２３までの１０２４個のフレーム番号を繰り返す。端末１０１は、特定のサブフレーム上で送信されるＰＢＣＨを通じて、現在受信中のフレームの番号とそのフレームの中のサブフレームの番号を知ることができる。フレーム番号と参照信号が送信されるフレームの番号の関係を示す式を事前に決めておくことにより、端末はどのフレームのどのサブフレームから参照信号が送信されるかを把握できる。
【０１４３】
また、図１１においては送信点＃１〜＃ｍの各参照信号を時間的に連続して送信する場合を示しているが、基地局１１０は、送信点＃１〜＃ｍの各参照信号を互いに時間間隔を空けて送信するようにしてもよい。
【０１４４】
図１２は、実施の形態にかかる各送信点からの参照信号の送信のさらに他の例を示す図である。図７，図１１においては、送信点＃１〜＃ｍからの各参照信号をそれぞれ異なるサブフレーム（時間リソース）に割り当てて送信する場合について説明したが、各参照信号を割り当てる無線リソースは時間リソースのみに限らない。図１２においては、送信点＃１〜＃ｍからの各参照信号をそれぞれ異なる時間リソースおよび周波数リソースに割り当てて送信する場合について説明する。
【０１４５】
図１２において、横軸は周波数軸を示し、縦軸は時間軸を示す。また、図１２においては、端末１０１についての測定対象の送信点が１６個の送信点＃１〜＃１６であるとする。参照信号１２０１〜１２１６は、それぞれ送信点＃１〜＃１６により送信される参照信号である。図１２に示すように、送信点＃１〜＃１６からの参照信号１２０１〜１２１６は、それぞれ時間および周波数が異なるように送信される。
【０１４６】
たとえば、端末１０１は、時間Ｔ１において、それぞれ異なる周波数（たとえば、単数または複数のサブキャリア）によって送信点＃１から送信される複数の参照信号１２０１を受信し、受信した複数の参照信号１２０１の各受信電力の平均値を算出する。これにより、送信点＃１からの参照信号１２０１の端末１０１における受信電力を算出する。
【０１４７】
また、端末１０１は、送信点＃２〜＃１６についても同様に、それぞれ時間Ｔ２〜Ｔ１６によって送信される各参照信号の受信電力の平均値を算出することにより受信電力を算出する。また、時間Ｔ１６のつぎの時間Ｔ１７より、再度、送信点＃１〜＃１６からの参照信号１２０１〜１２１６が送信される。
【０１４８】
図１２においては、基地局１１０が送信点＃１〜＃ｍからの各参照信号をそれぞれ異なる時間リソースおよび周波数リソースに割り当てて送信する場合について説明した。また、基地局１１０は、送信点＃１〜＃ｍからの各参照信号をそれぞれ異なる周波数リソースに割り当てて送信してもよい。この場合は、基地局１１０は、送信点＃１〜＃ｍからの各参照信号を同一の時間リソースに割り当てて送信する。
【０１４９】
（報告対象の送信点をビット列により通知することによる情報量の低減）
図１３は、報告対象の送信点をビット列により通知することによる情報量の低減の一例を示す図である。図１３に示すテーブル１３００は、報告対象の送信点の通知を、従来のように報告対象の送信点の各ＩＤにより行う場合と、通信システム１００のようにビット列により行う場合と、における通知に要する情報量（ビット数）を示している。ここで、送信点を示すＩＤ（たとえばセルＩＤ）のサイズを９ビットとする。
【０１５０】
測定対象の送信点＃１〜＃ｍの数に相当するｍ＝１６とし、端末１０１が基地局１１０へ報告するＩＤの数、すなわち報告対象の送信点の数が５である場合について説明する。この場合に、従来のように報告対象の送信点の各ＩＤによる通知を行うと、５個×９ビット＝４５ビットを要する。一方、通信システム１００のようにビット列による通知を行うと、ビット列長ｍ＝１６ビットと、受信電力が最大の送信点のＩＤを１個＝９ビットと、の合計の２５ビットで済む。また、受信電力が最大の送信点のＩＤを通知しない場合は１６ビットで済む。
【０１５１】
また、従来のように報告対象の送信点の各ＩＤによる通知を行う場合は、報告対象の送信点の数が多くなるほど通知に要する情報量が多くなる。一方、通信システム１００のようにビット列による通知を行う場合は、報告対象の送信点の数が多くなっても情報量は増加しない。
【０１５２】
また、ビット列はビット長が固定であるため、端末１０１は、ビット列を送信するための無線リソースのサイズを基地局１１０に通知しなくてもビット列を送信することができる。このため、端末１０１と基地局１１０との間の制御信号の情報量を低減することができる。
【０１５３】
このように、実施の形態にかかる通信システム１００において、端末１０１は、測定対象の送信点からそれぞれ送信された参照信号の受信電力を測定する。そして、端末１０１は、各ビット位置がそれぞれ測定対象の送信点と対応付けられたビット列であって、測定対象の送信点のそれぞれについて受信電力が所定条件を満たすか否かを示すビット列を基地局１１０へ送信する。
【０１５４】
これにより、たとえば測定対象の送信点のうちの受信電力が所定条件を満たす報告対象の送信点が多くても、少ない情報量によって報告対象の送信点を基地局１１０へ通知することができる。このため、報告対象の送信点候補の情報の通知に要する無線リソースの量の増大を抑制することができる。
【０１５５】
また、このビット列による送信点の通知は、端末１０１から基地局１１０への報告対象の送信点の通知に限らず、たとえば基地局１１０から端末１０１への送信点の通知に用いることも可能である。
【０１５６】
たとえば、基地局１１０が、測定対象の送信点（たとえば図２に示した送信点２０１〜２１１）を、ビット列を用いて端末１０１に通知するようにしてもよい。この場合に、たとえば、基地局１１０は、各ビット位置がそれぞれ測定対象の送信点を含む送信点群の各送信点（たとえば図２に示した送信点２０１〜２１８）に対応付けられたビット列を端末１０１へ送信する。このビット列は、該送信点群の各送信点について、測定対象の送信点に含まれるか否かを示すビット列である。
【０１５７】
端末１０１は、基地局１１０によって送信されたビット列に基づいて測定対象の送信点を特定し、基地局１１０によって測定対象の送信点からそれぞれ送信された参照信号の受信電力を測定する。これにより、たとえば測定対象の送信点が多くても、少ない情報量によって測定対象の送信点を端末１０１へ通知することができる。このため、測定対象の送信点候補の情報の通知に要する無線リソースの量の増大を抑制することができる。
【０１５８】
以上説明したように、無線通信システム、無線装置および処理方法によれば、送信点候補の情報の通知に要する無線リソースの量の増大を抑制することができる。
【０１５９】
たとえば、今後の無線システムでは、急増する無線データトラフィックに対応できるようにするために、送信点数を増やし、一つの無線ポイントが形成する無線セルを小さくすることが考えられる。無線セルが小さくなるにつれ、見通し内通信が可能となる可能性が高くなり、一つの端末に無線データ信号を送信する候補となる送信点数が増加する。
【０１６０】
しかしながら、より多くの送信点の特定ＩＤを無線ネットワーク側に報告するのは、アップリンク無線リソースの量に限りがあるので制限される。このため、無線セルの小サイズ化（すなわち送信点の配置密度増加）によって期待できる特性の向上を十分実現できなくなることが考えられる。
【０１６１】
これに対して、上述した実施の形態によれば、報告の目的で使用されるアップリンク無線リソースの量の増加を抑え、多くの送信点を特定できる情報を端末が無線ネットワーク側へ報告することが可能になる。
【符号の説明】
【０１６２】
１００  通信システム
１０１〜１０６  端末
１１０，１３０  基地局
１１１〜１２７，１３１〜１４６，２０１〜２１８  送信点
１５０  中央制御装置
２５１，２５２  範囲
３０１，５０１  制御部
３０２，５０２  制御信号生成部
３０３，５０３  データ信号生成部
３０４  参照信号生成部
３０５，５０５  信号多重部
３０６，５０６  変調部
３０７，５０７  ＲＦ送信部
３０８  送信アンテナ群
３０９，５０９  受信アンテナ
３１０，５１０  ＲＦ受信部
３１１，５１４  復調部
３１２，５１１，５１５  信号分離部
３１３  報告信号抽出部
４００，６００  通信装置
４０１，６０１  ＣＰＵ
４０２，６０２  メモリ
４０３，６０４  無線通信インタフェース
４０４  有線通信インタフェース
４０９，６０９  バス
５０４  報告信号生成部
５０８  送信アンテナ
５１２  参照信号検出・測定部
５１３  参照信号測定結果評価部
５１６  制御信号抽出部
５１７  データ信号抽出部
６０３  ユーザインタフェース
７１０，７２０，７３０，７４０，１１１０  送信タイミング
７１１，７１２，７２１，７２２，…，１１１１，１１１２  ＯＦＤＭシンボル
１２０１〜１２１６  参照信号
１３００  テーブル
【図１】
2016189595.tif 000003
【図２】
2016189595.tif 000004
【図３】
2016189595.tif 000005
【図４】
2016189595.tif 000006
【図５】
2016189595.tif 000007
【図６】
2016189595.tif 000008
【図７】
2016189595.tif 000009
【図８】
2016189595.tif 000010
【図９】
2016189595.tif 000011
【図１０】
2016189595.tif 000012
【図１１】
2016189595.tif 000013
【図１２】
2016189595.tif 000014
【図１３】
2016189595.tif 000015
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
複数の送信点の中から選択した各送信点を協調させてデータ信号を送信する第１無線装置であって、前記複数の送信点からそれぞれ参照信号を送信する第１無線装置と、
前記第１無線装置によって前記複数の送信点からそれぞれ送信された参照信号の受信電力を測定し、各ビット位置がそれぞれ前記複数の送信点と対応付けられたビット列であって、前記複数の送信点のそれぞれについて前記受信電力が所定条件を満たすか否かを示すビット列を前記第１無線装置へ送信する第２無線装置と、
を含むことを特徴とする無線通信システム。
【請求項２】
前記第２無線装置は、前記ビット列と、前記受信電力が前記所定条件を満たす各送信点のうちの前記受信電力が最も大きい送信点の識別情報と、を前記第１無線装置へ送信することを特徴とする請求項１に記載の無線通信システム。
【請求項３】
前記第１無線装置は、各ビット位置がそれぞれ前記複数の送信点を含む送信点群の各送信点に対応付けられたビット列であって、前記送信点群の各送信点について前記複数の送信点に含まれるか否かを示すビット列を前記第２無線装置へ送信し、
前記第２無線装置は、前記第１無線装置によって送信された前記ビット列に基づいて、前記第１無線装置によって前記複数の送信点からそれぞれ送信された参照信号の受信電力を測定する、
ことを特徴とする請求項１または２に記載の無線通信システム。
【請求項４】
複数の送信点に含まれる各送信点を協調させてデータ信号を送信する無線装置であって、
前記複数の送信点からそれぞれ参照信号を送信する送信部と、
前記送信部によって前記複数の送信点からそれぞれ送信された参照信号の受信電力を測定する他の無線装置から、各ビット位置がそれぞれ前記複数の送信点と対応付けられたビット列であって、前記複数の送信点のそれぞれについて前記受信電力が所定条件を満たすか否かを示すビット列を受信する受信部と、
を備えることを特徴とする無線装置。
【請求項５】
複数の送信点に含まれる各送信点を協調させてデータ信号を送信する他の無線装置によって前記複数の送信点からそれぞれ送信された参照信号の受信電力を測定する測定部と、
前記測定部による測定結果に基づいて、各ビット位置がそれぞれ前記複数の送信点と対応付けられたビット列であって、前記複数の送信点のそれぞれについて前記受信電力が所定条件を満たすか否かを示すビット列を前記他の無線装置へ送信する送信部と、
を備えることを特徴とする無線装置。
【請求項６】
複数の送信点に含まれる各送信点を協調させてデータ信号を送信する無線装置における処理方法であって、
前記複数の送信点からそれぞれ参照信号を送信し、
前記複数の送信点からそれぞれ送信した参照信号の受信電力を測定する他の無線装置から、各ビット位置がそれぞれ前記複数の送信点と対応付けられたビット列であって、前記複数の送信点のそれぞれについて前記受信電力が所定条件を満たすか否かを示すビット列を受信する、
ことを特徴とする処理方法。
【請求項７】
複数の送信点に含まれる各送信点を協調させてデータ信号を送信する他の無線装置によって前記複数の送信点からそれぞれ送信された参照信号の受信電力を測定し、
前記受信電力の測定結果に基づいて、各ビット位置がそれぞれ前記複数の送信点と対応付けられたビット列であって、前記複数の送信点のそれぞれについて前記受信電力が所定条件を満たすか否かを示すビット列を前記他の無線装置へ送信する、
ことを特徴とする処理方法。
【手続補正２】
【補正対象書類名】明細書
【補正対象項目名】全文
【補正方法】変更
【補正の内容】
【発明の詳細な説明】
【技術分野】
【０００１】
本発明は、無線通信システム、無線装置および処理方法に関する。
【背景技術】
【０００２】
従来、無線基地局（これ以降、基地局と略記）から一つの無線端末（これ以降、端末と略記）への無線データ送信に複数の送信点を、一つの端末から基地局へ送信される無線データ信号の受信に複数の受信点を用いるＣｏＭＰ送受信（Ｃｏｏｒｄｉｎａｔｅｄ  Ｍｕｌｔｉｐｌｅ−Ｐｏｉｎｔ  ｔｒａｎｓｍｉｓｓｉｏｎ  ａｎｄ  ｒｅｃｅｐｔｉｏｎ：多地点協調通信）方式（これ以降、ＣｏＭＰと略記）が知られている。ＣｏＭＰを用いる無線通信システムにおいては、送信点の配置密度を大きくすることにより無線容量を増加することが可能であると考えられている。
【０００３】
また、符号分割多元接続スペクトル拡散セルラ通信システムにおいて、各基地局が他基地局について異なる擬似ランダム雑音オフセットとなる共通のパイロット信号を送信する技術が知られている（たとえば、下記特許文献１参照。）。
【０００４】
また、複数のＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ：チャネル状態情報参照信号）を異なるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）シンボルを用いて時間多重して送信する技術が知られている（たとえば、下記特許文献２参照。）。
【先行技術文献】
【特許文献】
【０００５】
【特許文献１】特表２００１−５１２６３８号公報
【特許文献２】特開２０１１−１４２４０６号公報
【発明の概要】
【発明が解決しようとする課題】
【０００６】
しかしながら、上述した従来技術であるＣｏＭＰを採用する無線セルラ通信システムにおいて、送信点が高密度に配置され、一つの端末の周辺に多くの送信点が存在する状況では、本端末に対する無線データ信号の送信に使用される可能性がある送信点候補の数が多くなり、本端末に対する無線データ信号送信のために使用される本端末が希望する送信点候補に関する情報を本端末が基地局に対し通知するために要する無線リソースの量が大きくなる場合がある。
【０００７】
１つの側面では、本発明は、送信点候補の情報の通知に要する無線リソースの量の増大を抑制することができる無線通信システム、無線装置および処理方法を提供することを目的とする。
【課題を解決するための手段】
【０００８】
上述した課題を解決し、目的を達成するため、本発明の一側面によれば、複数の送信点に含まれる各送信点を協調させてデータ信号を送信する第１無線装置が、前記複数の送信点からそれぞれ参照信号を送信し、第２無線装置が、前記第１無線装置によって前記複数の送信点からそれぞれ送信された参照信号の受信電力を測定し、各ビット位置がそれぞれ前記複数の送信点と対応付けられたビット列であって、前記複数の送信点のそれぞれについて前記受信電力が所定条件を満たすか否かを示すビット列を前記第１無線装置へ送信する無線通信システム、無線装置および処理方法が提案される。
【発明の効果】
【０００９】
本発明の一側面によれば、送信点候補の情報の通知に要する無線リソースの量の増大を抑制することができるという効果を奏する。
【図面の簡単な説明】
【００１０】
【図１】図１は、実施の形態にかかる無線通信システムの一例を示す図である。
【図２】図２は、実施の形態にかかる送信点の選択の一例を示す図である。
【図３】図３は、実施の形態にかかる基地局の一例を示す図である。
【図４】図４は、実施の形態にかかる基地局のハードウェア構成の一例を示す図である。
【図５】図５は、実施の形態にかかる端末の一例を示す図である。
【図６】図６は、実施の形態にかかる端末のハードウェア構成の一例を示す図である。
【図７】図７は、実施の形態にかかる各送信点からの参照信号の送信の一例を示す図である。
【図８】図８は、実施の形態にかかる通信システムにおける処理の一例を示すシーケンス図である。
【図９】図９は、実施の形態にかかる端末によるビット列の生成処理の一例を示すフローチャートである。
【図１０】図１０は、実施の形態にかかる基地局による処理の一例を示すフローチャートである。
【図１１】図１１は、実施の形態にかかる各送信点からの参照信号の送信の他の例を示す図である。
【図１２】図１２は、実施の形態にかかる各送信点からの参照信号の送信のさらに他の例を示す図である。
【図１３】図１３は、報告対象の送信点をビット列により通知することによる情報量の低減の一例を示す図である。
【発明を実施するための形態】
【００１１】
以下に図面を参照して、本発明にかかる無線通信システム、無線装置および処理方法の実施の形態を詳細に説明する。
【００１２】
（実施の形態）
（実施の形態にかかる無線通信システム）
図１は、実施の形態にかかる無線通信システムの一例を示す図である。図１に示すように、実施の形態にかかる通信システム１００は、端末１０１〜１０６と、基地局１１０，１３０と、中央制御装置１５０と、を含む。基地局１１０，１３０は、端末１０１〜１０６との間で無線通信が可能な第１無線装置である。端末１０１〜１０６は、基地局１１０，１３０との間で無線通信が可能な第２無線装置である。
【００１３】
基地局１１０は、それぞれ異なる位置に設けられた送信点１１１〜１２７を有する。送信点１１１〜１２７のそれぞれは、セルを形成し、基地局１１０が無線信号を送信するための送信点である。送信点１１１〜１２７の中の複数の送信点が協調して一つのセルを形成してもよい。また、送信点１１１〜１２７のそれぞれは、基地局１１０が無線信号を受信するための受信ポイントとしても用いられてもよい。基地局１１０と送信点１１１〜１２７の間は、たとえば、ＣＰＲＩ（Ｃｏｍｍｏｎ  Ｐｕｂｌｉｃ  Ｒａｄｉｏ  Ｉｎｔｅｒｆａｃｅ）と呼ばれるインタフェースに準じて接続されてもよい。
【００１４】
基地局１３０は、それぞれ異なる位置に設けられた送信点１３１〜１４６を有する。送信点１３１〜１４６のそれぞれは、セルを形成し、基地局１３０が無線信号を送信するための送信点である。送信点１３１〜１４６の中の複数の送信点が協調して一つのセルを形成してもよい。また、送信点１３１〜１４６のそれぞれは、基地局１３０が無線信号を受信するための受信ポイントとしても用いられてもよい。基地局１３０と送信点１３１〜１４６の間は、たとえば、ＣＰＲＩ（Ｃｏｍｍｏｎ  Ｐｕｂｌｉｃ  Ｒａｄｉｏ  Ｉｎｔｅｒｆａｃｅ）と呼ばれるインタフェースに準じて接続されてもよい。
【００１５】
基地局１１０，１３０のそれぞれには、一例としては、３ＧＰＰに規定されたｅＮＢ（ｅｖｏｌｖｅｄ  Ｎｏｄｅ  Ｂ）を用いることができる。ただし、基地局１１０，１３０のそれぞれには、ｅＮＢに限らず各種の基地局を用いることができる。
【００１６】
端末１０１〜１０６のそれぞれは、送信点１１１〜１２７，１３１〜１４６のうちの少なくともいずれかを用いて、基地局１１０，１３０のうちの少なくともいずれかとの間で無線信号の送受信を行う。端末１０１〜１０６のそれぞれには、たとえば３ＧＰＰに規定されたＵＥ（Ｕｓｅｒ  Ｅｑｕｉｐｍｅｎｔ）を用いることができる。ただし、端末１０１〜１０６のそれぞれには、ＵＥに限らず各種の端末を用いることができる。
【００１７】
中央制御装置１５０は、基地局１１０，１３０による端末１０１〜１０６との間の無線通信を制御する。中央制御装置１５０には、たとえば３ＧＰＰに規定されたＭＭＥ（Ｍｏｂｉｌｉｔｙ  Ｍａｎａｇｅｍｅｎｔ  Ｅｎｔｉｔｙ：移動性管理エンティティ）を用いることができる。ただし、中央制御装置１５０には、ＭＭＥに限らず各種の制御装置を用いることができる。
【００１８】
基地局１１０，１３０は、送信点１１１〜１２７，１３１〜１４６によって送信点間の相互距離を適切に設定することにより小サイズのセルを高密度で配置することができる。これにより、単位面積あたりの無線トラフィック収容可能量を増やすことができる。送信点の数を増やすことにより、更に、単位面積あたりの無線トラフィック収容可能量を増やすことができる。また、基地局１１０，１３０は、複数の送信点を用いることにより、高密度で配置したセル間で発生する無線信号の干渉を利用して伝送レートを高めるＣｏＭＰ送信を行うことが可能である。
【００１９】
基地局１１０，１３０によるＣｏＭＰ送信には、ＤＰＳ（Ｄｙｎａｍｉｃ  Ｐｏｉｎｔ  Ｓｅｌｅｃｔｉｏｎ）方式、ＣＳ／ＣＢ（Ｃｏｏｒｄｉｎａｔｅｄ  Ｓｃｈｅｄｕｌｉｎｇ／Ｃｏｏｒｄｉｎａｔｅｄ  Ｂｅａｍ  ｆｏｒｍｉｎｇ）方式、ＪＴ（Ｊｏｉｎｔ  Ｔｒａｎｓｍｉｓｓｉｏｎ：ジョイントトランスミッション）方式などの各種の方式のＣｏＭＰ送信を用いることができる。以下、主に、基地局１１０，１３０によるＣｏＭＰ送信にＤＰＳ方式のＣｏＭＰ送信を用いる場合について説明する。
【００２０】
通信システム１００においては、たとえば、基地局１１０が、送信点１１１〜１２７に含まれる複数の送信点を用いて端末１０１に対して同一のデータ信号を同時に送信するＣｏＭＰ送信を行う。この場合は、基地局１１０または中央制御装置１５０が、端末１０１へのＣｏＭＰ送信の制御を行う。
【００２１】
または、通信システム１００においては、基地局１１０，１３０が、送信点１１１〜１２７，１３１〜１４６に含まれる複数の送信点を用いて端末１０１に対して同一のデータ信号を同時に送信するＣｏＭＰ送信を行ってもよい。この場合は、中央制御装置１５０が、端末１０１へのＣｏＭＰ送信の制御を行う。
【００２２】
以下、基地局１１０が送信点１１１〜１２７に含まれる複数の送信点を用いて端末１０１に対して同一のデータ信号を同時に送信するＣｏＭＰ送信を行い、基地局１１０が該ＣｏＭＰ送信の制御を行う場合について説明する。
【００２３】
端末１０１は、複数の送信点から送信され空間上で合成された無線データ信号を受信する。基地局１１０は、端末１０１が受信するデータ信号の受信特性が最良になるように、それぞれの送信点から送信するデータ信号に対して位相演算処理を行う。位相演算処理は、送信に使用される送信点ごとに独立して行っても、あるいは、送信に使用される送信点の間にまたがるように行ってもよい。
【００２４】
また、端末１０１の周辺の環境変化、端末１０１の移動、基地局１１０の各送信点の負荷状態の変化に伴い、端末１０１に対してデータ信号を送信する際に使用される送信点、使用される送信点の数等が変化する。
【００２５】
基地局１１０は、端末１０１へのデータ信号の送信に用いる候補の送信点のうちのいずれの送信点を用いて端末１０１へデータ信号を送信するかを、端末１０１から基地局１１０へ送信する報告信号に基づいて決定する。この報告信号には、端末１０１による後述の無線測定結果が含まれる。送信点１１１〜１２７のうちの端末１０１へのデータ信号の送信に用いる候補となる送信点は、端末１０１の移動等にともなって変化する。
【００２６】
（実施の形態にかかる送信点の選択）
図２は、実施の形態にかかる送信点の選択の一例を示す図である。図２においては、基地局１１０が端末１０１へデータ信号を送信するために使用する送信点の選択について説明する。図２に示す送信点２０１〜２１８は、たとえば図１に示した送信点１１１〜１２７に含まれる送信点である。
【００２７】
範囲２５１に含まれる送信点２０１〜２１１は、端末１０１の周辺における各送信点であって、端末１０１における受信電力（無線品質）の測定対象の送信点である。測定対象の送信点の数をＰ＋Ｌ個とする。図２に示す例では、送信点２０１〜２１１の１１個であり、Ｐ＋Ｌ＝１１である。Ｐ＋ＬのうちのＰは、後述の報告対象の送信点の数である。Ｐ＋ＬのうちのＬは、後述の非報告対象の送信点の数である。端末１０１は、測定対象の送信点２０１〜２１１からの無線信号についての受信電力の測定を行う。
【００２８】
ここで、受信電力は、たとえば測定対象の送信点２０１〜２１１からの参照信号の端末１０１におけるＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）やＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）等である。ＲＳＲＰやＲＳＳＩは、たとえば、３ＧＰＰの仕様書のひとつであるＴＳ３６．２１４の中で定義されているものであってもよい。測定対象となる参照信号はセル固有のものであっても、端末固有のものであってもよい。なお、参照信号は、受信した無線信号を復調する目的だけで使用する参照信号ではなく、無線信号を送信する無線装置とその無線信号を受信する無線装置の間の無線空間の品質や特性を評価する目的で送信される参照信号（たとえばＣＳＩ  ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、あるいは、無線装置が他の無線装置の存在を検出することを目的として送信される参照信号（たとえばＤＲＳ：Ｄｉｓｃｏｖｅｒｙ  Ｒｅｆｅｒｅｎｃｅ  Ｓｉｇｎａｌ）とすることができる。
【００２９】
範囲２５１に含まれない送信点２１２〜２１８は、たとえば送信点２０１〜２１１よりも端末１０１から離れた送信点であって、端末１０１における受信電力の測定対象ではない送信点である。なお、測定対象の送信点２０１〜２１１は、基地局１１０が端末１０１に対して指示した送信点であってもよい。端末１０１が移動した場合、送信点２１２〜２１８の中の全て、あるいは、一部が、新たな測定対象候補になることもある。
【００３０】
範囲２５２に含まれる送信点２０１〜２０６は、端末１０１による受信電力の測定結果の基地局１１０への報告対象の送信点である。端末１０１は、送信点２０１〜２０６から送信される参照信号に対し、事前に決められた時間周期、あるいは、基地局から指示された時間周期で、受信電力の測定を行う。この際、干渉信号電力の測定を行ってもよい。端末１０１は、測定対象の送信点２０１〜２１１についての受信電力の測定結果に基づいて、測定対象の送信点２０１〜２１１の中から報告対象の送信点２０１〜２０６を選択する。報告対象の送信点の数をＰ個とする。図２に示す例では、送信点２０１〜２０６の６個であり、Ｐ＝６である。
【００３１】
また、端末１０１は、選択したＰ個の報告対象の送信点２０１〜２０６を示す情報（後述のビット列）を含む報告信号を基地局１１０へ送信する。また、端末１０１は、選択したＰ個の報告対象の送信点２０１〜２０６から送信される参照信号に対する測定の結果を、事前に決められた時間周期、あるいは、基地局から指示された時間周期で、基地局１１０へ送信する。この周期的送信に加え、基地局１１０から要求された時に、端末１０１は測定結果を基地局１１０へ送信してもよい。
【００３２】
Ｐ個の報告対象の送信点２０１〜２０６は、たとえば測定対象の送信点２０１〜２１１のうちの受信電力が所定値以上の送信点とすることができる。この場合は、Ｐは可変の値となる。この所定値は、後述のように、測定対象の送信点２０１〜２１１の各受信電力のうちの最大の受信電力に基づいて設定される値であってもよい。または、Ｐ個の報告対象の送信点２０１〜２０６は、測定対象の送信点２０１〜２１１の中から受信電力が大きい順に選択したＰ個の送信点であってもよい。この場合は、Ｐは予め設定された値となる。
【００３３】
範囲２５１に含まれるが範囲２５２に含まれない送信点２０７〜２１１は、測定対象の送信点２０１〜２１１のうちの報告対象ではない非報告対象の送信点である。非報告対象の送信点の数をＬ個とする。図２に示す例では、送信点２０７〜２１１の５個であり、Ｌ＝５である。端末１０１は、送信点２０７〜２１１が送信する参照信号を認識しているが、それらの参照信号に対する測定を連続して測定することは要求されてはいない。
【００３４】
ただし、たとえば、送信点２０１〜２０６から送信される参照信号の受信電力が低下した際、端末は自主的に送信点２０７〜２１１から送信される参照信号に対する連続測定を開始してもよいし、あるいは、送信点２０１〜２０６から送信される参照信号の受信電力が事前に決められた値あるいは基地局から指示された値以下になった場合、送信点２０７〜２１１から送信される参照信号に対する連続測定を開始してもよい。
【００３５】
送信点２０１，２０２は、ある送信タイミングで端末１０１へデータ信号を送信する使用対象の送信点である。基地局１１０は、端末１０１から送信された報告信号に含まれるビット列が示す報告対象の送信点２０１〜２０６の中から、使用対象の送信点２０１，２０２を選択する。そして、基地局１１０は、使用対象の送信点２０１，２０２から同一のデータ信号を端末１０１へ同時に送信するＣｏＭＰ送信を行う。使用対象の送信点の数をＮ個とする。図２に示す例では、送信点２０１，２０２の２個であり、Ｎ＝２である。
【００３６】
３ＧＰＰのＬＴＥシステムにおいては、送信タイミングの発生周期は１［ｍｓ］であり、端末１０１に対し、ある送信タイミングで単発的に１［ｍｓ］長の時間区間を利用して無線データ信号の送信を行ってもいいし、たとえば２つの連続する送信タイミング（すなわち２［ｍｓ］長の連続した時間区間を利用）で無線データ信号の送信を行ってもいい。
【００３７】
基地局１１０は、報告対象の送信点２０１〜２０６からの使用対象の送信点２０１，２０２の選択を、たとえば、端末１０１から周期的に送信される、報告対象の送信点２０１〜２０６についての受信電力の測定結果に基づいて行う。
【００３８】
一例としては、基地局１１０は、報告対象の送信点２０１〜２０６のうちの端末１０１におけるこれらの送信点から送信される参照信号の受信電力が所定値以上である送信点を使用対象の送信点として選択する。この場合は、Ｎは可変の値となる。または、基地局１１０は、報告対象の送信点２０１〜２０６の中から端末１０１における受信電力が大きい順に選択したＮ個の送信点を使用対象の送信点として選択してもよい。この場合は、Ｐは予め設定された値となる。
【００３９】
また、基地局１１０は、選択した使用対象の送信点の中から主送信点を決定してもよい。主送信点は、たとえば基地局１１０から端末１０１への下りの制御情報の送信に用いられる送信点である。たとえば、基地局１１０は、選択した使用対象の送信点のうちの端末１０１における受信電力が最も大きい送信点を主送信点に決定する。基地局１１０によって選択された使用対象の送信点のうちの主送信点と異なる送信点は、主送信点と協調して端末１０１へデータを送信する協調送信点となる。ここでの制御情報とは、端末１０１に対し送信される無線データ信号に適用されている変調方式や符号化率、ＨＡＲＱ関連の情報などが含まれる。
【００４０】
送信点２０３〜２０６は、報告対象の送信点２０１〜２０６のうち、ある送信タイミングにおいて使用対象の送信点として選択されなかった非使用対象の送信点である。次の送信タイミングでは、送信点２０１，２０２のいずれかまたは両方が送信に使用されず、送信点２０３〜２０６の中のいずれかが送信に使用される可能性がある。非使用対象の送信点の数をＭ個とする。図２に示す例では、送信点２０３〜２０６の４個であり、Ｍ＝４である。また、Ｍの値は可変であり、次の送信タイミングでは、たとえば、３あるいは５という値をとることもありうる。すなわち、各送信タイミングにおいて、端末１０１に対する無線データ信号の送信に使用される送信点の数は可変である。
【００４１】
（実施の形態にかかる基地局）
図３は、実施の形態にかかる基地局の一例を示す図である。図３においては基地局１１０の構成について説明するが、基地局１３０の構成も基地局１１０の構成と同様である。図３に示すように、実施の形態にかかる基地局１１０は、制御部３０１と、制御信号生成部３０２と、データ信号生成部３０３と、参照信号生成部３０４と、信号多重部３０５と、変調部３０６と、ＲＦ送信部３０７と、送信アンテナ群３０８と、を備える。また、基地局１１０は、受信アンテナ３０９と、ＲＦ受信部３１０と、復調部３１１と、信号分離部３１２と、報告信号抽出部３１３と、を備える。
【００４２】
制御部３０１は、基地局１１０における通信の制御を行う。たとえば、制御部３０１は、基地局１１０が送信する参照信号のシーケンス（パターン）を決定し、決定したシーケンスの参照信号を生成するように参照信号生成部３０４を制御する。また、制御部３０１は、決定した参照信号のシーケンス等を示す、参照信号に関する情報を含む制御信号を生成するように制御信号生成部３０２を制御する。また、制御部３０１は、データ信号生成部３０３によるデータ信号の生成を制御する。
【００４３】
制御信号生成部３０２は、制御部３０１からの制御により、基地局１１０が端末（たとえば端末１０１）へ送信する制御信号の生成を行う。そして、制御信号生成部３０２は、生成した制御信号を信号多重部３０５へ出力する。制御信号生成部３０２が生成する制御信号には、たとえば、基地局１１０が各送信点から送信する参照信号に関する情報や、端末についての使用対象の送信点に関する情報が含まれる。対象の端末についての使用対象の送信点に関する情報には、たとえば対象の端末についての使用対象の送信点のうちの主送信点を示す情報が含まれていてもよい。
【００４４】
データ信号生成部３０３は、制御部３０１からの制御により、基地局１１０が端末へ送信するデータ信号の生成を行う。そして、データ信号生成部３０３は、生成したデータ信号を信号多重部３０５へ出力する。参照信号生成部３０４は、制御部３０１からの制御により、基地局１１０が送信する参照信号の生成を行う。そして、参照信号生成部３０４は、生成した参照信号を信号多重部３０５へ出力する。
【００４５】
信号多重部３０５は、制御信号生成部３０２からの制御信号と、データ信号生成部３０３からのデータ信号と、参照信号生成部３０４からの参照信号と、を多重化する。そして、信号多重部３０５は、多重化により得られた信号を変調部３０６へ出力する。信号多重部３０５における多重化には、たとえば、周波数方向および時間方向の少なくともいずれかによる多重化を用いることができる。複数の種類の参照信号、あるいは、同一種類ではあるが信号構成符号を定義するパラメータの値が異なる複数の参照信号を同一時間同一周波数上において符号多重してもよい。
【００４６】
変調部３０６は、信号多重部３０５から出力された信号に基づく変調を行う。そして、変調部３０６は、変調により得られた信号をＲＦ送信部３０７へ出力する。変調部３０６における変調方式には、たとえばＱＰＳＫ（Ｑｕａｄｒａｔｕｒｅ  Ｐｈａｓｅ  Ｓｈｉｆｔ  Ｋｅｙｉｎｇ：四位相偏移変調）、１６ＱＡＭ（Ｑｕａｄｒａｔｕｒｅ  Ａｍｐｌｉｔｕｄｅ  Ｍｏｄｕｌａｔｉｏｎ：直角位相振幅変調）、６４ＱＡＭなどの各種の変調方式を用いることができる。
【００４７】
ＲＦ送信部３０７は、変調部３０６から出力された信号のＲＦ送信処理を行う。そして、ＲＦ送信部３０７は、ＲＦ送信処理を行った信号を、送信アンテナ群３０８を介して無線送信する。ＲＦ送信部３０７におけるＲＦ送信処理には、たとえば、ベースバンド周波数帯からＲＦ（Ｒａｄｉｏ  Ｆｒｅｑｕｅｎｃｙ：高周波）帯へのデジタル／アナログ信号変換や周波数変換や信号電力増幅などが含まれる。
【００４８】
送信アンテナ群３０８は、たとえば図１に示した送信点１１１〜１２７を形成する。すなわち、送信アンテナ群３０８に含まれる各送信アンテナは、たとえば光ファイバー回線等の有線で基地局１１０の本体部に接続され、それぞれ異なる地点に配置される。基地局１１０内の一部の機能を、基地局から離れた場所に配置される送信アンテナ群３０８の中に含め基地局１１０の中に入れないようにしてもよい。この場合、そのような機能として、ＲＦ送信部、光／電気信号変換部、デジタル／アナログ信号変換部等がある。
【００４９】
受信アンテナ３０９は、基地局１１０の外部（たとえば端末１０１）から無線送信された信号を受信する。受信アンテナ３０９は、たとえば送信アンテナ群３０８と共通のアンテナであってもよい。ＲＦ受信部３１０は、受信アンテナ３０９によって受信された信号のＲＦ受信処理を行う。そして、ＲＦ受信部３１０は、ＲＦ受信処理を行った信号を復調部３１１へ出力する。ＲＦ受信部３１０におけるＲＦ受信処理には、たとえば、増幅や、ＲＦ帯からベースバンド周波数帯への周波数変換や、アナログ／デジタル信号変換などが含まれる。
【００５０】
復調部３１１は、ＲＦ受信部３１０から出力された信号の復調を行う。そして、復調部３１１は、復調により得られた信号を信号分離部３１２へ出力する。信号分離部３１２は、復調部３１１から出力された信号を多重分離する。そして、信号分離部３１２は、多重分離により得られた各信号を報告信号抽出部３１３へ出力する。報告信号抽出部３１３は、信号分離部３１２から出力された各信号のうちの端末からの報告信号を抽出する。そして、報告信号抽出部３１３は、抽出した報告信号を制御部３０１へ出力する。
【００５１】
制御部３０１は、報告信号抽出部３１３から出力された報告信号に基づいて、端末についての使用対象の送信点を選択する。そして、制御部３０１は、選択した送信点を示す情報を含む制御信号を生成するように制御信号生成部３０２を制御する。また、制御部３０１は、選択した送信点によって送信されるデータ信号を生成するようにデータ信号生成部３０３を制御する。制御部３０１による使用対象の送信点の選択には、報告信号抽出部３１３から出力された報告信号に加えて、信号分離部３１２から出力された各信号に含まれる、端末からの受信電力の測定結果を用いてもよい。
【００５２】
基地局１１０において、複数の送信点からそれぞれ参照信号を送信する送信部は、たとえば参照信号生成部３０４、信号多重部３０５、変調部３０６、ＲＦ送信部３０７および送信アンテナ群３０８により実現することができる。また、基地局１１０において、端末１０１からのビット列を受信する受信部は、たとえば受信アンテナ３０９、ＲＦ受信部３１０、復調部３１１、信号分離部３１２および報告信号抽出部３１３により実現することができる。
【００５３】
（実施の形態にかかる基地局のハードウェア構成）
図４は、実施の形態にかかる基地局のハードウェア構成の一例を示す図である。図３に示した基地局１１０は、たとえば図４に示す通信装置４００により実現することができる。通信装置４００は、ＣＰＵ４０１と、メモリ４０２と、無線通信インタフェース４０３と、有線通信インタフェース４０４と、を備える。ＣＰＵ４０１、メモリ４０２、無線通信インタフェース４０３および有線通信インタフェース４０４は、バス４０９により接続される。
【００５４】
ＣＰＵ（Ｃｅｎｔｒａｌ  Ｐｒｏｃｅｓｓｉｎｇ  Ｕｎｉｔ）４０１は、通信装置４００の全体の制御を司る。メモリ４０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ４０１のワークエリアとして使用される。補助メモリは、たとえば磁気ディスク、光ディスク、フラッシュメモリなどの不揮発メモリである。補助メモリには、通信装置４００を動作させる各種のプログラムが記憶されている。補助メモリに記憶されたプログラムは、メインメモリにロードされてＣＰＵ４０１によって実行される。
【００５５】
無線通信インタフェース４０３は、無線によって通信装置４００の外部（たとえば端末１０１などの端末）との間で通信を行う通信インタフェースである。無線通信インタフェース４０３は、ＣＰＵ４０１によって制御される。
【００５６】
有線通信インタフェース４０４は、有線によって通信装置４００の外部（たとえば中央制御装置１５０）との間で通信を行う通信インタフェースである。有線通信インタフェース４０４は、ＣＰＵ４０１によって制御される。
【００５７】
図３に示した制御部３０１、制御信号生成部３０２、データ信号生成部３０３、参照信号生成部３０４、信号多重部３０５、信号分離部３１２および報告信号抽出部３１３は、たとえばＣＰＵ４０１により実現することができる。図３に示した変調部３０６、ＲＦ送信部３０７、送信アンテナ群３０８、受信アンテナ３０９、ＲＦ受信部３１０および復調部３１１は、たとえば無線通信インタフェース４０３により実現することができる。
【００５８】
（実施の形態にかかる端末）
図５は、実施の形態にかかる端末の一例を示す図である。図５においては端末１０１の構成について説明するが、端末１０２〜１０６の構成も端末１０１の構成と同様である。図５に示すように、実施の形態にかかる端末１０１は、制御部５０１と、制御信号生成部５０２と、データ信号生成部５０３と、報告信号生成部５０４と、信号多重部５０５と、変調部５０６と、ＲＦ送信部５０７と、送信アンテナ５０８と、を備える。また、端末１０１は、受信アンテナ５０９と、ＲＦ受信部５１０と、信号分離部５１１と、参照信号検出・測定部５１２と、参照信号測定結果評価部５１３と、を備える。また、端末１０１は、復調部５１４と、信号分離部５１５と、制御信号抽出部５１６と、データ信号抽出部５１７と、を備える。
【００５９】
制御部５０１は、端末１０１における通信の制御を行う。たとえば、制御部５０１は、制御信号生成部５０２による制御信号の生成を制御する。また、制御部５０１は、データ信号生成部５０３によるデータ信号の生成を制御する。また、制御部５０１は、報告信号生成部５０４による報告信号の生成を制御する。また、制御部５０１は、参照信号測定結果評価部５１３による測定対象の送信点の評価を制御する。また、制御部５０１は、参照信号検出・測定部５１２による参照信号の検出を制御する。
【００６０】
制御信号生成部５０２は、制御部５０１からの制御により、端末１０１が基地局（たとえば基地局１１０）へ送信する制御信号の生成を行う。そして、制御信号生成部５０２は、生成した制御信号を信号多重部５０５へ出力する。
【００６１】
データ信号生成部５０３は、制御部５０１からの制御により、端末１０１が基地局へ送信するデータ信号の生成を行う。そして、データ信号生成部５０３は、生成したデータ信号を信号多重部５０５へ出力する。
【００６２】
報告信号生成部５０４は、制御部５０１からの制御により、端末１０１が基地局へ送信する報告信号の生成を行う。そして、報告信号生成部５０４は、生成した報告信号を信号多重部５０５へ出力する。報告信号生成部５０４が生成する報告信号は、たとえば、参照信号測定結果評価部５１３から通知された報告対象の送信点を基地局１１０へ報告する情報である。
【００６３】
また、報告信号生成部５０４が生成する報告信号は、さらに、参照信号測定結果評価部５１３から通知された、報告対象の送信点のうちの受信電力が最も大きい送信点を基地局１１０へ報告する報告信号であってもよい。また、報告信号生成部５０４が生成する報告信号は、さらに、参照信号測定結果評価部５１３から通知された、受信電力が最も大きい送信点の受信電力を基地局１１０へ報告する報告信号であってもよい。
【００６４】
信号多重部５０５は、制御信号生成部５０２からの制御信号と、データ信号生成部５０３からのデータ信号と、報告信号生成部５０４からの報告信号と、を多重化する。そして、信号多重部５０５は、多重化により得られた信号を変調部５０６へ出力する。信号多重部５０５における多重化には、たとえば、周波数方向および時間方向の少なくともいずれかによる多重化を用いることができる。なお、報告信号の中に入れて送信される報告する情報を報告信号の中ではなくデータ信号の中に入れて送信してもよい。この場合、報告する情報が入れられたデータ信号は報告信号と多重されずに送信されるか、あるいは他の情報が入れられた報告信号と多重して送信される。
【００６５】
変調部５０６は、信号多重部５０５から出力された信号に基づく変調を行う。そして、変調部５０６は、変調により得られた信号をＲＦ送信部５０７へ出力する。変調部５０６における変調方式には、一例としては、ＱＰＳＫ、１６ＱＡＭ、６４ＱＡＭなど各種の変調方式を用いることができる。
【００６６】
ＲＦ送信部５０７は、変調部５０６から出力された信号のＲＦ送信処理を行う。そして、ＲＦ送信部５０７は、ＲＦ送信処理を行った信号を、送信アンテナ５０８を介して無線送信する。ＲＦ送信部５０７におけるＲＦ送信処理には、たとえば、ベースバンド周波数帯からＲＦ帯へのデジタル／アナログ信号変換、周波数変換や増幅などが含まれる。
【００６７】
受信アンテナ５０９は、端末１０１の外部（たとえば基地局１１０）から無線送信された信号を受信する。受信アンテナ５０９は、たとえば送信アンテナ５０８と共通のアンテナであってもよい。ＲＦ受信部５１０は、受信アンテナ５０９によって受信された信号のＲＦ受信処理を行う。そして、ＲＦ受信部５１０は、ＲＦ受信処理を行った信号を信号分離部５１１へ出力する。ＲＦ受信部５１０におけるＲＦ受信処理には、たとえば、増幅や、ＲＦ帯からベースバンド周波数帯への周波数変換、アナログ／デジタル信号変換などが含まれる。
【００６８】
信号分離部５１１は、ＲＦ受信部５１０から出力された信号を多重分離する。そして、信号分離部５１１は、多重分離により得られた参照信号を参照信号検出・測定部５１２へ出力し、多重分離により得られた他の信号を復調部５１４へ出力する。
【００６９】
参照信号検出・測定部５１２は、制御部５０１からの制御により、信号分離部５１１から出力された各信号に含まれる参照信号の検出と、検出した参照信号に基づく受信電力の測定と、を行う。たとえば、端末１０１についての測定対象の各送信点は、それぞれ異なる無線リソース（たとえばサブフレーム）と対応付けられている。この対応付けは、たとえば基地局１１０から通知される。このため、参照信号検出・測定部５１２は、測定対象の各送信点と対応付けられた各無線リソースによって送信された参照信号の受信電力を測定することにより、測定対象の各送信点からの参照信号の受信電力をそれぞれ測定することができる。また、参照信号検出・測定部５１２は、受信電力の測定結果を参照信号測定結果評価部５１３へ出力する。
【００７０】
参照信号測定結果評価部５１３は、制御部５０１からの制御により、参照信号検出・測定部５１２から出力された受信電力の測定結果に基づいて、端末１０１における測定対象の送信点の評価を行う。そして、参照信号測定結果評価部５１３は、評価結果に基づいて、測定対象の送信点の中から報告対象の送信点を選択する。
【００７１】
また、参照信号測定結果評価部５１３は、選択した報告対象の送信点を報告信号生成部５０４へ通知する。また、参照信号測定結果評価部５１３は、さらに、選択した報告対象の送信点のうちの受信電力が最も大きい送信点や、該受信電力が最も大きい送信点の受信電力を報告信号生成部５０４へ通知してもよい。
【００７２】
復調部５１４は、信号分離部５１１から出力された信号の復調を行う。そして、復調部５１４は、復調により得られた信号を信号分離部５１５へ出力する。信号分離部５１５は、復調部５１４から出力された信号の多重分離を行う。そして、信号分離部５１５は、多重分離により得られた各信号を制御信号抽出部５１６およびデータ信号抽出部５１７へ出力する。
【００７３】
制御信号抽出部５１６は、制御部５０１からの制御により、信号分離部５１５から出力された各信号のうちの、基地局からの制御信号を抽出する。そして、制御信号抽出部５１６は、抽出した制御信号を制御部５０１へ出力する。制御信号抽出部５１６が抽出する制御信号には、たとえば、上述した参照信号に関する情報や、使用対象の送信点に関する情報などが含まれる。
【００７４】
データ信号抽出部５１７は、制御部５０１からの制御により、信号分離部５１５から出力された各信号のうちの、基地局からのデータ信号を抽出する。そして、データ信号抽出部５１７は、抽出したデータ信号を制御部５０１へ出力する。
【００７５】
たとえば、制御部５０１は、制御信号抽出部５１６から出力された参照信号に関する情報に基づいて、参照信号検出・測定部５１２による参照信号の検出を制御する。また、制御部５０１は、制御信号抽出部５１６から出力された参照信号に関する情報に基づいて、参照信号測定結果評価部５１３における送信点の評価を制御する。
【００７６】
また、制御部５０１は、制御信号抽出部５１６から出力された送信点に関する情報に基づいて、制御信号抽出部５１６による制御信号の抽出を制御する。また、制御部５０１は、制御信号抽出部５１６から出力された送信点に関する情報に基づいて、データ信号抽出部５１７によるデータ信号の抽出を制御する。
【００７７】
端末１０１において、基地局１１０により複数の送信点からそれぞれ送信された参照信号の受信電力を測定する測定部は、たとえば受信アンテナ５０９、ＲＦ受信部５１０、信号分離部５１１および参照信号検出・測定部５１２により実現することができる。また、端末１０１において、ビット列を基地局１１０へ送信する送信部は、報告信号生成部５０４、信号多重部５０５、変調部５０６、ＲＦ送信部５０７および送信アンテナ５０８により実現することができる。
【００７８】
（実施の形態にかかる端末のハードウェア構成）
図６は、実施の形態にかかる端末のハードウェア構成の一例を示す図である。図５に示した端末１０１は、たとえば図６に示す通信装置６００により実現することができる。通信装置６００は、ＣＰＵ６０１と、メモリ６０２と、ユーザインタフェース６０３と、無線通信インタフェース６０４と、を備える。ＣＰＵ６０１、メモリ６０２、ユーザインタフェース６０３および無線通信インタフェース６０４は、バス６０９により接続される。
【００７９】
ＣＰＵ６０１は、通信装置６００の全体の制御を司る。メモリ６０２には、たとえばメインメモリおよび補助メモリが含まれる。メインメモリは、たとえばＲＡＭである。メインメモリは、ＣＰＵ６０１のワークエリアとして使用される。補助メモリは、たとえば磁気ディスク、フラッシュメモリなどの不揮発メモリである。補助メモリには、通信装置６００を動作させる各種のプログラムが記憶されている。補助メモリに記憶されたプログラムは、メインメモリにロードされてＣＰＵ６０１によって実行される。
【００８０】
ユーザインタフェース６０３は、たとえば、ユーザからの操作入力を受け付ける入力デバイスや、ユーザへ情報を出力する出力デバイスなどを含む。入力デバイスは、たとえばキー（たとえばキーボード）やリモコンなどにより実現することができる。出力デバイスは、たとえばディスプレイやスピーカなどにより実現することができる。また、タッチパネルなどによって入力デバイスおよび出力デバイスを実現してもよい。ユーザインタフェース６０３は、ＣＰＵ６０１によって制御される。
【００８１】
無線通信インタフェース６０４は、無線によって通信装置６００の外部（たとえば基地局１１０などの基地局）との間で通信を行う通信インタフェースである。無線通信インタフェース６０４は、ＣＰＵ６０１によって制御される。
【００８２】
図５に示した制御部５０１、制御信号生成部５０２、データ信号生成部５０３、報告信号生成部５０４および信号多重部５０５は、たとえばＣＰＵ６０１により実現することができる。図５に示した参照信号測定結果評価部５１３、信号分離部５１５、制御信号抽出部５１６およびデータ信号抽出部５１７は、たとえばＣＰＵ６０１により実現することができる。図５に示した変調部５０６、ＲＦ送信部５０７、送信アンテナ５０８、受信アンテナ５０９、ＲＦ受信部５１０、信号分離部５１１、参照信号検出・測定部５１２および復調部５１４は、たとえば無線通信インタフェース６０４により実現することができる。
【００８３】
（実施の形態にかかる各送信点からの参照信号の送信）
図７は、実施の形態にかかる各送信点からの参照信号の送信の一例を示す図である。図７においては、端末１０１における測定対象の送信点がｍ個の送信点＃１〜＃ｍである場合について説明する。ｍは２以上の自然数であり、任意に設定可能である（たとえばｍ＝｛１６，３２，６４｝）。図７に示す例ではｍ＝１６とする。測定対象の送信点＃１〜＃ｍは、たとえば図２に示したＰ＋Ｌ個の送信点２０１〜２１１に対応する。
【００８４】
図７は、基地局１１０における下り無線リンクのサブフレームを示し、横軸方向は時間軸を示す。１個のサブフレームの時間軸上での長さは、たとえば、１［ｍｓ］である。送信タイミング７１０，７２０，７３０，７４０は、それぞれ送信点＃１〜＃４による参照信号の送信タイミングを示している。
【００８５】
また、図７に示す例では、基地局１１０は、送信点＃１〜＃ｍのそれぞれにおいて、ｍサブフレームごとに参照信号を送信する。そして、基地局１１０は、送信点＃１〜＃ｍのそれぞれにおいて、参照信号を送信するサブフレームが異なるように制御する。以下、ｋ＝０，１，２，…とする。
【００８６】
たとえば、送信タイミング７１０に示すように、基地局１１０は、送信点＃１により、第（ｋ＊１６＋１）サブフレームにおいて、参照信号をマッピングしたＯＦＤＭシンボルを送信する。すなわち、基地局１１０は、送信点＃１により、第１サブフレーム、第１７サブフレーム、…において、参照信号をマッピングしたＯＦＤＭシンボル７１１，７１２，…を送信する。
【００８７】
また、送信タイミング７２０に示すように、基地局１１０は、送信点＃２により、第（ｋ＊１６＋２）サブフレームにおいて、参照信号をマッピングしたＯＦＤＭシンボルを送信する。すなわち、基地局１１０は、送信点＃２により、第２サブフレーム、第１８サブフレーム、…において、参照信号をマッピングしたＯＦＤＭシンボル７２１，７２２，…を送信する。
【００８８】
また、送信タイミング７３０に示すように、基地局１１０は、送信点＃３により、第（ｋ＊１６＋３）サブフレームにおいて、参照信号をマッピングしたＯＦＤＭシンボルを送信する。すなわち、基地局１１０は、送信点＃３により、第３サブフレーム、第１９サブフレーム、…において、参照信号をマッピングしたＯＦＤＭシンボル７３１，７３２，…を送信する。
【００８９】
また、送信タイミング７４０に示すように、基地局１１０は、送信点＃４により、第（ｋ＊１６＋４）サブフレームにおいて、参照信号をマッピングしたＯＦＤＭシンボルを送信する。すなわち、基地局１１０は、送信点＃４により、第４サブフレーム、第２０サブフレーム、…において、参照信号をマッピングしたＯＦＤＭシンボル７４１，７４２，…を送信する。
【００９０】
また、基地局１１０は、送信点＃５〜＃ｍについても同様に、それぞれ第（ｋ＊１６＋５）〜（ｋ＊１６＋ｍ）サブフレームにおいて、それぞれ参照信号をマッピングしたＯＦＤＭシンボルを送信する。これにより、基地局１１０は、送信点＃１〜＃ｍからの各参照信号を、送信点によって異なるサブフレーム（タイミング）にマッピングして送信することができる。
【００９１】
また、基地局１１０が送信点＃１〜＃ｍから送信する各参照信号には、送信点＃１〜＃ｍの間で共通のシーケンス（パターン）の参照信号を用いることができる。このように、基地局１１０は、ある一定エリア内の送信点間で共通のシーケンスを用いる参照信号を、隣接する送信点間で異なるサブフレーム上で周期的（ｍサブフレームごと）に送信する。各送信点の参照信号に共通のシーケンスを用いることにより、基地局１１０から端末１０１への参照信号のシーケンスの通知に要する無線リソースを少なくすることができる。また、送信点＃１〜＃ｍの間で共通のシーケンスの参照信号を用いる際、送信点間で異なる長さの巡回シフトを各送信点から送信される参照信号に対し施してもよい。端末は、巡回シフト量を検出することにより、受信した参照信号が送信点＃１〜＃ｍの中のどの送信点から送信されたのかを知ることが可能になる。
【００９２】
基地局１１０が各送信点において参照信号を送信する周期ｍは、たとえば送信点の配置密度に応じて設定することができる。たとえば、送信点の配置密度が大きくなるにつれ、ｍの値を大きくしてセル繰り返し数を大きくすることで、基地局１１０が各送信点において参照信号を適切に設定することができる。
【００９３】
また、各サブフレームにおける参照信号がマッピングされる位置は、たとえばサブフレーム内の第ｎ番目のＯＦＤＭシンボル上のｘ番目からｙ番目のサブキャリアなど、予め設定しておくことができる。また、送信点＃１〜＃ｍのそれぞれにおいて、参照信号がマッピングされたＯＦＤＭシンボルが一つのサブフレーム内で複数個送信されてもよい。また、参照信号がマッピングされた一つのＯＦＤＭシンボル上に、無線データ信号の一部が参照信号に対し周波数多重あるいは符号多重されるようにマッピングされてもよい。
【００９４】
端末１０１は、たとえば基地局１１０から送信される同期信号に基づいて各サブフレームのタイミングを認識することができる。ここでいうタイミングとは、時間領域における各サブフレームの先頭位置ということができる。そして、端末１０１は、時間方向に参照信号に対してスキャン測定を行い、送信点＃１〜＃ｍのうちの受信電力が最大となる送信点を特定する。この最大の受信電力をＡ［ｄＢｍ］とする。
【００９５】
また、端末１０１は、送信点＃１〜＃ｍのうちの受信電力がＡ［ｄＢｍ］以下、かつＡ−Ｂ［ｄＢｍ］以上となる送信点を特定する。これにより、最も大きい受信電力Ａとの差が所定値（Ｂ）以下である送信点を報告対象の送信点として特定することができる。Ｂは、固定値としてもよいし、基地局１１０が端末１０１へ通知するパラメータとしてもよい。
【００９６】
端末１０１は、受信電力がＡ［ｄＢｍ］以下、かつＡ−Ｂ［ｄＢｍ］以上となる送信点を示すｍビットのビット列と、受信電力が最大の送信点を示す識別情報（たとえばセルＩＤ）と、を含む報告信号を基地局１１０へ送信する。
【００９７】
ビット列は、各ビット位置が各サブフレームに対応付けられたビットマップ（ビット配列）である。たとえば、ビット列は、ＭＳＢ（Ｍｏｓｔ  Ｓｉｇｎｉｆｉｃａｎｔ  Ｂｉｔ：最上位ビット）がサブフレーム＃０に対応し、ＬＳＢ（Ｌｅａｓｔ  Ｓｉｇｎｉｆｉｃａｎｔ  Ｂｉｔ：最下位ビット）がサブフレーム＃ｍ−１に対応付けられる。そして、送信点＃１〜＃ｍはそれぞれ異なるサブフレームに対応しているため、ビット列の各ビット位置が各サブフレームに対応付けられることにより、ビット列の各ビット位置がそれぞれ送信点＃１〜＃ｍに対応付けられる。
【００９８】
端末１０１が受信したサブフレームのサブフレーム番号と送信点番号（＃１から＃ｍ）の関係を端末１０１が把握できるようにするために、たとえば、フレーム番号とｍの関係を事前に式で定義することが可能である。たとえば、３ＧＰＰで仕様が作成されるＬＴＥシステムにおいては、１フレームは１０サブフレームで構成され、特定のサブフレーム上で送信されるＰＢＣＨ（Ｐｒｉｍａｒｙ  Ｂｒｏａｄｃａｓｔ  Ｃｈａｎｎｅｌ：プライマリー報知チャネル）を通じて端末はフレーム番号とサブフレーム番号を把握できるので、フレーム番号とサブフレーム番号と送信点番号の関係が一意に決まる式を事前に定義しておくことが可能である。
【００９９】
図７に示す例では、送信点＃１によって送信されたＯＦＤＭシンボル７１１，７１２，…にマッピングされた参照信号の端末１０１における受信電力が−１２［ｄＢｍ］であったとする。また、送信点＃２によって送信されたＯＦＤＭシンボル７２１，７２２，…にマッピングされた参照信号の端末１０１における受信電力が−８［ｄＢｍ］であったとする。
【０１００】
また、送信点＃３によって送信されたＯＦＤＭシンボル７３１，７３２，…にマッピングされた参照信号の端末１０１における受信電力が−１７［ｄＢｍ］であったとする。また、送信点＃４によって送信されたＯＦＤＭシンボル７４１，７４２，…にマッピングされた参照信号の端末１０１における受信電力が−１１［ｄＢｍ］であったとする。
【０１０１】
そして、送信点＃１〜＃ｍのうちの、参照信号の受信電力が最大であった送信点が送信点＃２（受信電力＝−８［ｄＢｍ］）であったとする。また、Ｂ＝５であるとする。この場合は、上述したＡ−Ｂは、Ａ−Ｂ＝−８−５＝−１３となる。
【０１０２】
送信点＃１〜＃ｍのうちの、参照信号の受信電力が−１３［ｄＢｍ］以上である送信点は、送信点＃１，＃２，＃４（それぞれ受信電力が−１２［ｄＢｍ］、−８［ｄＢｍ］、−１１［ｄＢｍ］）のみであったとする。
【０１０３】
この場合は、端末１０１は、報告対象の送信点として送信点＃１，＃２，＃４を選択し、送信点＃１，＃２，＃４を示すビット列を含む報告信号を基地局１１０へ送信する。送信点＃１，＃２，＃４を示すビット列は、たとえば、“１１０１００００００００００００”とすることができる。このビット列は、測定対象の送信点＃１〜＃ｍの数に対応するｍビットのビット列である。そして、このビット列の第１〜第ｍビットは、それぞれ送信点＃１〜＃ｍが報告対象の送信点であるか、すなわち受信電力がＡ−Ｂ以上であるか否かを示している。
【０１０４】
上述したように送信点＃１，＃２，＃４のみが報告対象の送信点である場合は、第１，第２，第４ビットのみが“１”であり、残りのビットが“０”である上述したビット列“１１０１００００００００００００”が生成される。なお、ビットの値の意味は任意に設計可能であり、たとえば送信点に対応するビットが“０”であり、他のビットが“１”であってもよい。
【０１０５】
端末１０１は、このビット列“１１０１００００００００００００”を含む報告信号を基地局１１０へ送信する。これにより、送信点＃１〜＃ｍのうちの送信点＃１，＃２，＃４が報告対象の送信点であることを基地局１１０に通知することができる。
【０１０６】
また、上述のように、送信点＃１〜＃ｍの中から、最大の受信電力Ａを基準（Ａ−Ｂ［ｄＢｍ］以上）として報告対象の送信点を選択することで、基地局１１０は事前にＢを端末１０１へ通知しておけばよい。Ｂは、最大の受信電力Ａに基づく相対的な基準を決定するパラメータであるため、Ｂのとり得る値の範囲は狭くすることができる。このため、端末１０１が報告対象の送信点を選択するために基地局１１０が端末１０１へ送信する制御信号の情報量を少なくすることができる。
【０１０７】
また、たとえば基地局１１０がＪＴ方式のＣｏＭＰ送信を行う場合は、端末１０１における受信電力の差が小さくなる送信点を組み合わせることにより伝送特性がよくなる。たとえば受信電力差が１［ｄＢ］となる各送信点をＪＴ方式のＣｏＭＰ送信における送信点と組み合わせる場合は、Ｂ＝１と設定することにより、いずれの送信点が好ましいかを、ビット列により基地局１１０に通知することが可能になる。
【０１０８】
また、端末１０１は、送信点＃１〜＃ｍのうちの受信電力がＣ以上の送信点を報告対象の送信点として選択してもよい。Ｃは、最大の受信電力Ａに基づく相対基準である上述したＡ−Ｂと異なり、絶対的な基準である。Ｃは、たとえば基地局１１０によって決定され、基地局１１０から端末１０１へ通知される。
【０１０９】
また、端末１０１は、ビット列に加えて、受信電力が最大の送信点＃２の識別情報（たとえばセルＩＤ）を含む報告信号を基地局１１０へ送信してもよい。これにより、基地局１１０に対して、報告対象の送信点＃１，＃２，＃４のうちの送信点＃２の受信電力が最大であることを通知することができる。
【０１１０】
これに対して、基地局１１０は、たとえば、報告対象の送信点＃１，＃２，＃４のうちの受信電力が最大の送信点＃２を端末１０１についての主送信点とし、他の送信点＃１，＃４を協調送信点に設定することができる。
【０１１１】
または、端末１０１は、受信電力が最大の送信点＃２の識別情報（たとえばセルＩＤ）に代えて、受信電力が最大の送信点＃２に対応するビット列上のビット位置を示す情報を含む報告信号を基地局１１０へ送信してもよい。これにより、基地局１１０に対して、報告対象の送信点＃１，＃２，＃４のうちの送信点＃２の受信電力が最大であることを通知することができる。また、送信点＃２の識別情報（たとえば９ビットのセルＩＤ）を含む報告信号を送信する場合に比べて、報告信号の情報量を少なくすることができる。たとえば、ビット列が上述のように１６ビットである場合は、送信点＃２に対応するビット列上のビット位置を示す情報は、１６通りのビット位置のいずれかを示す４ビットの情報によって実現することができる。
【０１１２】
また、端末１０１は、ビット列および送信点＃２の識別情報に加えて、送信点＃２について測定した受信電力を示す測定結果を含む報告信号を基地局１１０へ送信してもよい。これにより、基地局１１０に対して、送信点＃２について測定した受信電力を通知することができる。
【０１１３】
これに対して、基地局１１０は、たとえば、送信点＃２について測定した受信電力が所定値を下回っている場合は、基地局１１０による端末１０１へのデータ信号の送信が困難であると判断することができる。たとえば、基地局１１０がフェムトセル等のスモールセルである場合に、基地局１１０は、基地局１１０による端末１０１へのデータ信号の送信が困難であると判断すると、端末１０１をマクロ基地局や近接のスモールセル基地局へハンドオーバさせるなどの処理を行うことができる。
【０１１４】
（実施の形態にかかる通信システムにおける処理）
図８は、実施の形態にかかる通信システムにおける処理の一例を示すシーケンス図である。実施の形態にかかる通信システム１００においては、たとえば、基地局１１０と端末１０１との間において、図８に示す各ステップが実行される。図８に示す各ステップは、たとえば、基地局１１０と端末１０１との間における通信の開始時に行われる。また、図８に示す各ステップは、基地局１１０と端末１０１との間において通信が行われている間に周期的に行われてもよい。特に端末１０１が移動し、端末１０１に対し無線データ信号を送信可能な潜在的送信点候補が変化する時、参照信号に関する情報（たとえばステップＳ８０１）の内容が大きく変わりうる。
【０１１５】
まず、基地局１１０は、基地局１１０が各送信点から送信する参照信号に関する情報を端末１０１へ送信する（ステップＳ８０１）。参照信号に関する情報には、上述したｍの値や参照信号のシーケンス（パターン）を示すパラメータなどが含まれる。
【０１１６】
また、基地局１１０が、Ｂの値を端末１０１へ送信する（ステップＳ８０２）。Ｂは、上述した最大の受信電力Ａを基準として報告対象の送信点を選択するためのパラメータである。ステップＳ８０１，Ｓ８０２における送信には、たとえばＰＤＳＣＨ（Ｐｈｙｓｉｃａｌ  Ｄｏｗｎｌｉｎｋ  Ｓｈａｒｅｄ  Ｃｈａｎｎｅｌ：物理下りリンク共有チャネル）などの下りリンクのチャネルを用いることができる。
【０１１７】
また、基地局１１０は、参照信号に関する情報およびＢの値をまとめて端末１０１へ送信してもよい。
【０１１８】
つぎに、端末１０１が、ステップＳ８０１によって送信された参照信号に関する情報に基づいて、基地局１１０が各送信点から送信する参照信号の検出を行い、検出した参照信号の受信電力の測定を行う（ステップＳ８０３）。
【０１１９】
つぎに、端末１０１が、ステップＳ８０２によって送信されたＢの値と、ステップＳ８０３による受信電力の測定結果と、に基づいて、上述した報告対象の送信点を選択する。そして、端末１０１は、選択した報告対象の送信点を示すビット列を含む報告信号を生成する（ステップＳ８０４）。ステップＳ８０４によって生成される報告信号には、ビット列に加えて、参照信号の受信電力が最大の送信点のＩＤや、該送信点からの参照信号の受信電力が含まれていてもよい。端末１０１によるビット列の生成方法については後述する（たとえば図９参照）。
【０１２０】
つぎに、端末１０１が、ステップＳ８０４によって生成した報告信号を基地局１１０へ送信する（ステップＳ８０５）。ステップＳ８０５による送信には、たとえば、ＰＵＣＣＨ（Ｐｈｙｓｉｃａｌ  Ｕｐｌｉｎｋ  Ｃｏｎｔｒｏｌ  Ｃｈａｎｎｅｌ：物理上りリンク制御チャネル）やＰＵＳＣＨ（Ｐｈｙｓｉｃａｌ  Ｕｐｌｉｎｋ  Ｓｈａｒｅｄ  Ｃｈａｎｎｅｌ：物理上りリンク共有チャネル）などの上りリンクのチャネルを用いることができる。
【０１２１】
つぎに、基地局１１０が、端末１０１へのデータ信号の送信に使用する使用対象の送信点の設定を行う（ステップＳ８０６）。使用対象の送信点は、たとえば図２に示した送信点２０１，２０２に対応する送信点である。ステップＳ８０６において、基地局１１０は、たとえば、端末１０１についての使用対象の送信点のうちの主送信点および協調送信点の少なくともいずれかの変更を要するか否かを判断する。
【０１２２】
基地局１１０は、主送信点および協調送信点の少なくともいずれかの変更を要すると判断した場合は、端末１０１に対して主送信点および協調送信点の少なくともいずれかの変更を行い、該変更を示す制御信号を端末１０１へ送信する。ただし、主送信点の変更は無いが協調送信点の変更だけが生じた場合、基本的には、協調送信点の変更を端末１０１に通知しなくてもよい。また、基地局１１０は、主送信点および協調送信点のいずれの変更も要しないと判断した場合は、現状の主送信点および協調送信点を維持する。
【０１２３】
つぎに、基地局１１０が、ステップＳ８０６によって設定された使用対象の送信点（主送信点および協調送信点）を用いて端末１０１へデータ信号を送信する（ステップＳ８０７）。
【０１２４】
（実施の形態にかかる端末によるビット列の生成処理）
図９は、実施の形態にかかる端末によるビット列の生成処理の一例を示すフローチャートである。端末１０１は、図８に示したステップＳ８０４において、図９に示す各ステップを実行することにより、報告信号に含めるビット列を生成する。図９において、ｉは、ｍ個のサブフレームに対応するインデクスである（ｉ＝｛１，２，…，ｍ｝）。
【０１２５】
まず、端末１０１は、ｍ個のサブフレームｉのそれぞれについて、サブフレームｉにおける参照信号の受信電力Ｐｉ［ｄＢｍ］を測定する（ステップＳ９０１）。つぎに、端末１０１は、ステップＳ９０１によって測定した受信電力Ｐｉの中の最大値をＡとして設定する（ステップＳ９０２）。
【０１２６】
つぎに、端末１０１は、インデクスｉを初期化（ｉ＝１）する（ステップＳ９０３）。つぎに、端末１０１は、受信電力ＰｉがＡ−Ｂ以上であるか否かを判断する（ステップＳ９０４）。Ａは、ステップＳ９０２によって設定された受信電力Ｐｉの中の最大値である。Ｂは、図８に示したステップＳ８０２によって基地局１１０から端末１０１へ送信された値である。
【０１２７】
ステップＳ９０４において、受信電力ＰｉがＡ−Ｂ以上である場合（ステップＳ９０４：Ｙｅｓ）は、サブフレームｉにおいて参照信号を送信した送信点ｉが基準を満たすと判断することができる。この場合は、端末１０１は、ビットＢｉを“１”に設定し（ステップＳ９０５）、ステップＳ９０７へ移行する。ビットＢｉは、上述したビット列におけるｉ番目のビットの値であり、サブフレームｉにおいて参照信号を送信した送信点ｉが基準を満たすか否かを示す情報である。
【０１２８】
ステップＳ９０４において、受信電力ＰｉがＡ−Ｂ以上でない場合（ステップＳ９０４：Ｎｏ）は、サブフレームｉにおいて参照信号を送信した送信点ｉが基準を満たさないと判断することができる。この場合は、端末１０１は、ビットＢｉを“０”に設定する（ステップＳ９０６）。
【０１２９】
つぎに、端末１０１は、ｉをインクリメント（ｉ＝ｉ＋１）する（ステップＳ９０７）。つぎに、端末１０１は、ｉがｍより大きいか否かを判断する（ステップＳ９０８）。ｉがｍより大きくない場合（ステップＳ９０８：Ｎｏ）は、端末１０１は、ステップＳ９０４へ戻る。ｉがｍより大きい場合（ステップＳ９０８：Ｙｅｓ）は、端末１０１は、一連の処理を終了する。この時点で、ステップＳ９０５またはステップＳ９０６により設定したＢｉをｉの順に並べたものが、図８に示したステップＳ８０４によって生成される報告信号に含まれるビット列となる。
【０１３０】
（実施の形態にかかる基地局による処理）
図１０は、実施の形態にかかる基地局による処理の一例を示すフローチャートである。実施の形態にかかる基地局１１０は、たとえば図１０に示す各ステップを実行する。まず、基地局１１０は、基地局１１０が各送信点から送信する参照信号に関する情報を端末１０１へ送信する（ステップＳ１００１）。
【０１３１】
つぎに、基地局１１０は、各送信点から参照信号を送信する（ステップＳ１００２）。つぎに、基地局１１０は、端末１０１からの報告信号を受信する（ステップＳ１００３）。つぎに、基地局１１０は、ステップＳ１００３によって受信した報告信号に含まれるビット列の値が全てゼロであるか否かを判断する（ステップＳ１００４）。
【０１３２】
ステップＳ１００４において、ビット列の値が全てゼロである場合（ステップＳ１００４：Ｙｅｓ）は、端末１０１についての現在の測定対象の送信点の全てが基準を満たさなかったと判断することができる。この場合は、基地局１１０は、端末１０１についての測定対象の送信点の候補を再設定する（ステップＳ１００５）。
【０１３３】
また、基地局１１０は、新たな参照信号を生成する（ステップＳ１００６）。新たな参照信号は、たとえばシーケンスを変更した参照信号である。つぎに、基地局１１０は、ステップＳ１００６によって生成した参照信号に関する情報の生成および端末１０１への送信を行い（ステップＳ１００７）、ステップＳ１００２へ戻る。
【０１３４】
ステップＳ１００４において、ビット列の値が全てゼロでない場合（ステップＳ１００４：Ｎｏ）は、端末１０１についての現在の測定対象の送信点の少なくともいずれかが基準を満たしたと判断することができる。この場合は、基地局１１０は、ステップＳ１００３によって受信した報告信号に基づいて、端末１０１についての現在の測定対象の送信点のうちの受信電力が最大の送信点を特定する（ステップＳ１００８）。
【０１３５】
つぎに、基地局１１０は、ステップＳ１００８によって特定した受信電力が最大の送信点が、端末１０１についての現在の主送信点と同一であるか否かを判断する（ステップＳ１００９）。受信電力が最大の送信点が主送信点と同一である場合（ステップＳ１００９：Ｙｅｓ）は、基地局１１０は、ステップＳ１０１２へ移行する。受信電力が最大の送信点が主送信点と同一でない場合（ステップＳ１００９：Ｎｏ）は、基地局１１０は、ステップＳ１００８によって特定した受信電力が最大の送信点を主送信点とするように主送信点の変更を行う（ステップＳ１０１０）。つぎに、基地局１１０は、主送信点の変更を示す制御信号を端末１０１へ送信する（ステップＳ１０１１）。
【０１３６】
つぎに、基地局１１０は、端末１０１についての協調送信点の変更を要するか否かを判断する（ステップＳ１０１２）。ステップＳ１０１２の判断は、たとえば、報告信号に含まれるビット列が示すＰ個の送信点のうちの端末１０１の主送信点を除く送信点が、端末１０１についての現在の協調送信点と同一であるか否かによって判断することができる。
【０１３７】
ステップＳ１０１２において、変更を要しないと判断した場合（ステップＳ１０１２：Ｎｏ）は、基地局１１０は、ステップＳ１０１４へ移行する。変更を要すると判断した場合（ステップＳ１０１２：Ｙｅｓ）は、基地局１１０は、端末１０１についての協調送信点の変更を行う（ステップＳ１０１３）。このとき、たとえば、基地局１１０は、協調送信点の変更を示す制御情報を端末１０１へ送信してもよい。
【０１３８】
つぎに、基地局１１０は、端末１０１へ送信するデータがあるか否かを判断する（ステップＳ１０１４）。端末１０１へ送信するデータがない場合（ステップＳ１０１４：Ｎｏ）は、基地局１１０は、ステップＳ１００２へ戻る。端末１０１へ送信するデータがある場合（ステップＳ１０１４：Ｙｅｓ）は、基地局１１０は、該データ信号を端末１０１に送信し（ステップＳ１０１５）、ステップＳ１００２へ戻る。
【０１３９】
（実施の形態にかかる各送信点からの参照信号の送信の他の例）
図１１は、実施の形態にかかる各送信点からの参照信号の送信の他の例を示す図である。図１１において、図７に示した部分と同様の部分については同一の符号を付して説明を省略する。図７においては各サブフレームにおいて送信点＃１〜＃ｍの参照信号を送信する場合について説明したが、いずれの送信点の参照信号を送信しないサブフレームを設けてもよい。
【０１４０】
図１１に示す例では、ｍ＝２０とする。図１１に示す送信タイミング１１１０は、送信点＃１１による参照信号の送信タイミングを示している。ＯＦＤＭシンボル１１１１，１１１２は、基地局１１０が送信点＃１１により送信する、参照信号がマッピングされたＯＦＤＭシンボルである。
【０１４１】
たとえば、図１１に示すように、基地局１１０は、１０２４０サブフレーム周期のそれぞれにおける先頭のｍサブフレームのみを用いて送信点＃１〜＃ｍの参照信号を送信する。すなわち、基地局１１０は、第１〜第ｍサブフレームを用いて送信点＃１〜＃ｍの各参照信号を送信すると、その後、第１０２４０サブフレームまでは参照信号を送信しない。そして、基地局１１０は、第１０２４１〜第ｍ＋１０２４０サブフレームを用いて送信点＃１〜＃ｍの各参照信号を送信する。
【０１４２】
ＬＴＥにおいては、フレームの番号は０から１０２３までの１０２４個であり、１０２４個のフレームごとに０から１０２３までの１０２４個のフレーム番号を繰り返す。端末１０１は、特定のサブフレーム上で送信されるＰＢＣＨを通じて、現在受信中のフレームの番号とそのフレームの中のサブフレームの番号を知ることができる。フレーム番号と参照信号が送信されるフレームの番号の関係を示す式を事前に決めておくことにより、端末はどのフレームのどのサブフレームから参照信号が送信されるかを把握できる。
【０１４３】
また、図１１においては送信点＃１〜＃ｍの各参照信号を時間的に連続して送信する場合を示しているが、基地局１１０は、送信点＃１〜＃ｍの各参照信号を互いに時間間隔を空けて送信するようにしてもよい。
【０１４４】
図１２は、実施の形態にかかる各送信点からの参照信号の送信のさらに他の例を示す図である。図７，図１１においては、送信点＃１〜＃ｍからの各参照信号をそれぞれ異なるサブフレーム（時間リソース）に割り当てて送信する場合について説明したが、各参照信号を割り当てる無線リソースは時間リソースのみに限らない。図１２においては、送信点＃１〜＃ｍからの各参照信号をそれぞれ異なる時間リソースおよび周波数リソースに割り当てて送信する場合について説明する。
【０１４５】
図１２において、横軸は周波数軸を示し、縦軸は時間軸を示す。また、図１２においては、端末１０１についての測定対象の送信点が１６個の送信点＃１〜＃１６であるとする。参照信号１２０１〜１２１６は、それぞれ送信点＃１〜＃１６により送信される参照信号である。図１２に示すように、送信点＃１〜＃１６からの参照信号１２０１〜１２１６は、それぞれ時間および周波数が異なるように送信される。
【０１４６】
たとえば、端末１０１は、時間Ｔ１において、それぞれ異なる周波数（たとえば、単数または複数のサブキャリア）によって送信点＃１から送信される複数の参照信号１２０１を受信し、受信した複数の参照信号１２０１の各受信電力の平均値を算出する。これにより、送信点＃１からの参照信号１２０１の端末１０１における受信電力を算出する。
【０１４７】
また、端末１０１は、送信点＃２〜＃１６についても同様に、それぞれ時間Ｔ２〜Ｔ１６によって送信される各参照信号の受信電力の平均値を算出することにより受信電力を算出する。また、時間Ｔ１６のつぎの時間Ｔ１７より、再度、送信点＃１〜＃１６からの参照信号１２０１〜１２１６が送信される。
【０１４８】
図１２においては、基地局１１０が送信点＃１〜＃ｍからの各参照信号をそれぞれ異なる時間リソースおよび周波数リソースに割り当てて送信する場合について説明した。また、基地局１１０は、送信点＃１〜＃ｍからの各参照信号をそれぞれ異なる周波数リソースに割り当てて送信してもよい。この場合は、基地局１１０は、送信点＃１〜＃ｍからの各参照信号を同一の時間リソースに割り当てて送信する。
【０１４９】
（報告対象の送信点をビット列により通知することによる情報量の低減）
図１３は、報告対象の送信点をビット列により通知することによる情報量の低減の一例を示す図である。図１３に示すテーブル１３００は、報告対象の送信点の通知を、従来のように報告対象の送信点の各ＩＤにより行う場合と、通信システム１００のようにビット列により行う場合と、における通知に要する情報量（ビット数）を示している。ここで、送信点を示すＩＤ（たとえばセルＩＤ）のサイズを９ビットとする。
【０１５０】
測定対象の送信点＃１〜＃ｍの数に相当するｍ＝１６とし、端末１０１が基地局１１０へ報告するＩＤの数、すなわち報告対象の送信点の数が５である場合について説明する。この場合に、従来のように報告対象の送信点の各ＩＤによる通知を行うと、５個×９ビット＝４５ビットを要する。一方、通信システム１００のようにビット列による通知を行うと、ビット列長ｍ＝１６ビットと、受信電力が最大の送信点のＩＤを１個＝９ビットと、の合計の２５ビットで済む。また、受信電力が最大の送信点のＩＤを通知しない場合は１６ビットで済む。
【０１５１】
また、従来のように報告対象の送信点の各ＩＤによる通知を行う場合は、報告対象の送信点の数が多くなるほど通知に要する情報量が多くなる。一方、通信システム１００のようにビット列による通知を行う場合は、報告対象の送信点の数が多くなっても情報量は増加しない。
【０１５２】
また、ビット列はビット長が固定であるため、端末１０１は、ビット列を送信するための無線リソースのサイズを基地局１１０に通知しなくてもビット列を送信することができる。このため、端末１０１と基地局１１０との間の制御信号の情報量を低減することができる。
【０１５３】
このように、実施の形態にかかる通信システム１００において、端末１０１は、測定対象の送信点からそれぞれ送信された参照信号の受信電力を測定する。そして、端末１０１は、各ビット位置がそれぞれ測定対象の送信点と対応付けられたビット列であって、測定対象の送信点のそれぞれについて受信電力が所定条件を満たすか否かを示すビット列を基地局１１０へ送信する。
【０１５４】
これにより、たとえば測定対象の送信点のうちの受信電力が所定条件を満たす報告対象の送信点が多くても、少ない情報量によって報告対象の送信点を基地局１１０へ通知することができる。このため、報告対象の送信点候補の情報の通知に要する無線リソースの量の増大を抑制することができる。
【０１５５】
また、このビット列による送信点の通知は、端末１０１から基地局１１０への報告対象の送信点の通知に限らず、たとえば基地局１１０から端末１０１への送信点の通知に用いることも可能である。
【０１５６】
たとえば、基地局１１０が、測定対象の送信点（たとえば図２に示した送信点２０１〜２１１）を、ビット列を用いて端末１０１に通知するようにしてもよい。この場合に、たとえば、基地局１１０は、各ビット位置がそれぞれ測定対象の送信点を含む送信点群の各送信点（たとえば図２に示した送信点２０１〜２１８）に対応付けられたビット列を端末１０１へ送信する。このビット列は、該送信点群の各送信点について、測定対象の送信点に含まれるか否かを示すビット列である。
【０１５７】
端末１０１は、基地局１１０によって送信されたビット列に基づいて測定対象の送信点を特定し、基地局１１０によって測定対象の送信点からそれぞれ送信された参照信号の受信電力を測定する。これにより、たとえば測定対象の送信点が多くても、少ない情報量によって測定対象の送信点を端末１０１へ通知することができる。このため、測定対象の送信点候補の情報の通知に要する無線リソースの量の増大を抑制することができる。
【０１５８】
以上説明したように、無線通信システム、無線装置および処理方法によれば、送信点候補の情報の通知に要する無線リソースの量の増大を抑制することができる。
【０１５９】
たとえば、今後の無線システムでは、急増する無線データトラフィックに対応できるようにするために、送信点数を増やし、一つの無線ポイントが形成する無線セルを小さくすることが考えられる。無線セルが小さくなるにつれ、見通し内通信が可能となる可能性が高くなり、一つの端末に無線データ信号を送信する候補となる送信点数が増加する。
【０１６０】
しかしながら、より多くの送信点の特定ＩＤを無線ネットワーク側に報告するのは、アップリンク無線リソースの量に限りがあるので制限される。このため、無線セルの小サイズ化（すなわち送信点の配置密度増加）によって期待できる特性の向上を十分実現できなくなることが考えられる。
【０１６１】
これに対して、上述した実施の形態によれば、報告の目的で使用されるアップリンク無線リソースの量の増加を抑え、多くの送信点を特定できる情報を端末が無線ネットワーク側へ報告することが可能になる。
【０１６２】
上述した実施の形態に関し、さらに以下の付記を開示する。
【０１６３】
（付記１）複数の送信点の中から選択した各送信点を協調させてデータ信号を送信する第１無線装置であって、前記複数の送信点からそれぞれ参照信号を送信する第１無線装置と、
前記第１無線装置によって前記複数の送信点からそれぞれ送信された参照信号の受信電力を測定し、各ビット位置がそれぞれ前記複数の送信点と対応付けられたビット列であって、前記複数の送信点のそれぞれについて前記受信電力が所定条件を満たすか否かを示すビット列を前記第１無線装置へ送信する第２無線装置と、
を含むことを特徴とする無線通信システム。
【０１６４】
（付記２）前記第２無線装置は、前記ビット列と、前記受信電力が前記所定条件を満たす各送信点のうちの前記受信電力が最も大きい送信点の識別情報と、を前記第１無線装置へ送信することを特徴とする付記１に記載の無線通信システム。
【０１６５】
（付記３）前記第２無線装置は、前記ビット列と、前記受信電力が最も大きい送信点の識別情報と、前記受信電力が最も大きい送信点についての前記受信電力と、を前記第１無線装置へ送信することを特徴とする付記２に記載の無線通信システム。
【０１６６】
（付記４）前記第２無線装置は、前記ビット列と、前記受信電力が前記所定条件を満たす各送信点のうちの前記受信電力が最も大きい送信点に対応する前記ビット列におけるビット位置を示す情報と、を前記第１無線装置へ送信することを特徴とする付記１に記載の無線通信システム。
【０１６７】
（付記５）前記第２無線装置は、測定した前記受信電力のうちの最も大きい受信電力を特定し、前記複数の送信点のそれぞれについて前記受信電力と前記最も大きい受信電力との差が所定値以下であるか否かを示す前記ビット列を前記第１無線装置へ送信する、
ことを特徴とする付記１〜４のいずれか一つに記載の無線通信システム。
【０１６８】
（付記６）前記第１無線装置は、前記第２無線装置によって送信された前記ビット列に基づいて前記複数の送信点の中から選択した前記各送信点を協調させて前記データ信号を前記第２無線装置へ送信することを特徴とする付記１〜５のいずれか一つに記載の無線通信システム。
【０１６９】
（付記７）前記第１無線装置は、前記複数の送信点の間で異なる各無線リソースによって前記複数の送信点からそれぞれ参照信号を送信することを特徴とする付記１〜６のいずれか一つに記載の無線通信システム。
【０１７０】
（付記８）前記第１無線装置は、前記複数の送信点の間で共通の参照信号を前記複数の送信点から送信することを特徴とする付記１〜７のいずれか一つに記載の無線通信システム。
【０１７１】
（付記９）前記第１無線装置は、各ビット位置がそれぞれ前記複数の送信点を含む送信点群の各送信点に対応付けられたビット列であって、前記送信点群の各送信点について前記複数の送信点に含まれるか否かを示すビット列を前記第２無線装置へ送信し、
前記第２無線装置は、前記第１無線装置によって送信された前記ビット列に基づいて、前記第１無線装置によって前記複数の送信点からそれぞれ送信された参照信号の受信電力を測定する、
ことを特徴とする付記１〜８のいずれか一つに記載の無線通信システム。
【０１７２】
（付記１０）複数の送信点に含まれる各送信点を協調させてデータ信号を送信する無線装置であって、
前記複数の送信点からそれぞれ参照信号を送信する送信部と、
前記送信部によって前記複数の送信点からそれぞれ送信された参照信号の受信電力を測定する他の無線装置から、各ビット位置がそれぞれ前記複数の送信点と対応付けられたビット列であって、前記複数の送信点のそれぞれについて前記受信電力が所定条件を満たすか否かを示すビット列を受信する受信部と、
を備えることを特徴とする無線装置。
【０１７３】
（付記１１）複数の送信点に含まれる各送信点を協調させてデータ信号を送信する他の無線装置によって前記複数の送信点からそれぞれ送信された参照信号の受信電力を測定する測定部と、
前記測定部による測定結果に基づいて、各ビット位置がそれぞれ前記複数の送信点と対応付けられたビット列であって、前記複数の送信点のそれぞれについて前記受信電力が所定条件を満たすか否かを示すビット列を前記他の無線装置へ送信する送信部と、
を備えることを特徴とする無線装置。
【０１７４】
（付記１２）複数の送信点に含まれる各送信点を協調させてデータ信号を送信する無線装置における処理方法であって、
前記複数の送信点からそれぞれ参照信号を送信し、
前記複数の送信点からそれぞれ送信した参照信号の受信電力を測定する他の無線装置から、各ビット位置がそれぞれ前記複数の送信点と対応付けられたビット列であって、前記複数の送信点のそれぞれについて前記受信電力が所定条件を満たすか否かを示すビット列を受信する、
ことを特徴とする処理方法。
【０１７５】
（付記１３）複数の送信点に含まれる各送信点を協調させてデータ信号を送信する他の無線装置によって前記複数の送信点からそれぞれ送信された参照信号の受信電力を測定し、
前記受信電力の測定結果に基づいて、各ビット位置がそれぞれ前記複数の送信点と対応付けられたビット列であって、前記複数の送信点のそれぞれについて前記受信電力が所定条件を満たすか否かを示すビット列を前記他の無線装置へ送信する、
ことを特徴とする処理方法。
【符号の説明】
【０１７６】
１００  通信システム
１０１〜１０６  端末
１１０，１３０  基地局
１１１〜１２７，１３１〜１４６，２０１〜２１８  送信点
１５０  中央制御装置
２５１，２５２  範囲
３０１，５０１  制御部
３０２，５０２  制御信号生成部
３０３，５０３  データ信号生成部
３０４  参照信号生成部
３０５，５０５  信号多重部
３０６，５０６  変調部
３０７，５０７  ＲＦ送信部
３０８  送信アンテナ群
３０９，５０９  受信アンテナ
３１０，５１０  ＲＦ受信部
３１１，５１４  復調部
３１２，５１１，５１５  信号分離部
３１３  報告信号抽出部
４００，６００  通信装置
４０１，６０１  ＣＰＵ
４０２，６０２  メモリ
４０３，６０４  無線通信インタフェース
４０４  有線通信インタフェース
４０９，６０９  バス
５０４  報告信号生成部
５０８  送信アンテナ
５１２  参照信号検出・測定部
５１３  参照信号測定結果評価部
５１６  制御信号抽出部
５１７  データ信号抽出部
６０３  ユーザインタフェース
７１０，７２０，７３０，７４０，１１１０  送信タイミング
７１１，７１２，７２１，７２２，１１１１，１１１２  ＯＦＤＭシンボル
１２０１〜１２１６  参照信号
１３００  テーブル
【国際調査報告】
2016189595.tif 000016
2016189595.tif 000017
2016189595.tif 000018